(57)【要約】【課題】電球形蛍光ランプ装置で低照度まで照明ムラがなく調光できるようにする。【解決手段】この電球形蛍光ランプ装置は、壁スイッチＳＷのオン／オフ操作により交流電源が供給、または供給停止される口金４に装着される電球型の装置本体と、装置本体に内蔵された蛍光ランプ本体１と、装置本体に内蔵された発光ダイオード回路ＬＥＤと、壁スイッチＳＷのオン・オフ操作による交流電源の供給または供給停止を検出し、検出した電源の供給状況に応じて蛍光ランプ本体１および発光ダイオード回路ＬＥＤを点消灯させる制御回路（ＡＣ電源オフ時間検出回路ＡＣＰＯＤＣおよびインバータ発振停止回路ＩＯＳＣ）とを備える。【選択図】図１
2007227342.tif 000002
【特許請求の範囲】
【請求項１】
外部のスイッチのオン・オフ操作により交流電源が供給、または供給停止されるソケットに装着される装置本体と；
前記装置本体に配設された主光源としての蛍光ランプおよび補助光源と；
前記外部のスイッチのオン操作により交流電源が供給されたとき、またはその後の前記スイッチのオフ・オン操作により交流電源の供給が停止された時間が一定時間以上経過した後、交流電源が再供給されたとき、インバータを駆動して前記蛍光ランプを点灯させる一方、前記スイッチのオフ・オン操作により交流電源の供給が停止された時間が前記一定時間以下で前記交流電源が再供給されたとき、前記蛍光ランプを消灯させ、かつ前記インバータを発振停止させると共に、前記補助光源を点灯させる制御回路と；
を具備したことを特徴とする電球形蛍光ランプ装置。
【請求項２】
外部のスイッチのオン・オフ操作により交流電源が供給、または供給停止されるソケットに装着される装置本体と；
前記交流電源を直流電圧に変換する整流回路と；
前記整流回路から出力される直流電圧を平滑する平滑回路と；
前記装置本体に配設された主光源としての蛍光ランプと；
前記平滑回路の出力を変換して前記蛍光ランプを点灯させるように駆動するインバータと；
前記装置本体に配設され、前記平滑回路と並列的に接続された補助光源と；
前記外部のスイッチのオン・オフ操作による交流電源の供給または供給停止を検出し、検出した電源の供給状況に応じて前記蛍光ランプおよび補助光源のいずれか一方が点灯し他方が消灯するように制御する制御回路と；
を具備したことを特徴とする電球形蛍光ランプ装置。
【請求項３】
前記整流回路と前記平滑回路との間、または前記平滑回路と前記インバータとの間に配置された過電流遮断器を備え、
前記補助光源への直流電源を前記過電流遮断器の前段からとるように回路を構成したことを特徴とする請求項２記載の電球形蛍光ランプ装置。
【請求項４】
前記制御回路は、
前記補助光源を、前記蛍光ランプの明るさの５０％以下で点灯させる回路を具備したことを特徴とする請求項１乃至３いずれか１記載の電球形蛍光ランプ装置。
【請求項５】
前記補助光源を前記装置本体のほぼ中心部分に配置する一方、前記補助光源を包囲するように前記蛍光ランプを配置したことを特徴とする請求項１乃至４いずれか１記載の電球形蛍光ランプ装置。
【請求項６】
前記補助光源を前記蛍光ランプの電極より前記蛍光ランプの頂部側へ離間するように底上げして配置したことを特徴とする請求項１乃至５いずれか１記載の電球形蛍光ランプ装置。
【請求項７】
主光源としての蛍光ランプと；
この蛍光ランプに対し補助的な光源として機能する補助光源と；
前記蛍光ランプを点灯させるインバータと；
前記インバータの電源である直流電源の正極と負極間に、前記補助光源を介して接続されたスイッチ素子と；
前記スイッチ素子をオン・オフさせて前記補助光源を点灯させる補助光源点灯回路と；
外部のスイッチのオン・オフ操作の時間に応じて前記蛍光ランプまたは補助光源のうちのいずれか一方が点灯させるように前記インバータおよび前記補助光源点灯回路を制御する調光制御回路と；
外部のスイッチのオン操作によって前記直流電源からの入力で充電が開始されるコンデンサおよびこのコンデンサの電圧値によってトリガ電圧を前記インバータへ印加する起動回路と；
前記調光制御回路の制御により、前記補助光源が点灯したときに、前記コンデンサに電荷が蓄積されないように前記スイッチ素子を介して前記コンデンサの両端間を通電させる放電回路と；
を具備することを特徴とする電球形蛍光ランプ装置。
【請求項８】
外部の位相制御調光器の操作に応じて、オフ期間が可変する位相制御電圧が供給、または供給停止されるソケットに装着される装置本体と；
前記位相制御電圧を直流電圧に変換する整流回路と；
前記整流回路から出力される直流電圧を平滑する平滑回路と；
前記装置本体に配設された主光源としての蛍光ランプと；
前記平滑回路の出力を変換して前記蛍光ランプを点灯させるように駆動するインバータと；
前記装置本体に配設され、前記平滑回路と並列的に接続された補助光源と；
前記位相制御調光器から入力される前記位相制御電圧を前記整流回路の前段から得ることで、前記位相制御電圧のオフ期間を検出するオフ期間検出回路と；
前記オフ期間検出回路により所定期間以上のオフ期間が検出された場合に、前記蛍光ランプを消灯させ、かつ前記補助光源を点灯させる制御回路と；
を具備したことを特徴とする電球形蛍光ランプ装置。
【請求項９】
前記制御回路は、
前記位相制御調光器より入力された前記位相制御電圧の位相の変化に応じて前記補助光源を調光制御することを特徴とする請求項８記載の電球形蛍光ランプ装置。
【発明の詳細な説明】
【技術分野】
【０００１】
本発明は、例えば電球形蛍光ランプ装置に関する。
【背景技術】
【０００２】
家庭などの白熱電球用のソケットに装着可能なＥ２６口金を備え、インバータを内蔵した省電力型の電球形蛍光ランプ装置が商品化されている。
従来の電球形蛍光ランプ装置の多くは、点灯または不点灯のいずれかでしか動作しないため、調光を行うことの要望が多い。
【０００３】
この種の先行技術としては、例えば壁スイッチのオン・オフによる商用電源（以下ＡＣ電源と称す）の入り・切りで、蛍光ランプ本体の明るさを切り替える機能、すなわち段調光機能が既に提案されている（例えば特許文献１参照）。
【０００４】
特許文献１の技術の場合、蛍光ランプ単体で通常の点灯状態の６０％〜７０％程度までの段調光を行うことは可能であるものの、蛍光ランプの点灯維持電圧などを考慮すると、点灯を維持しつつ深く調光するためには、複雑な回路手段が必要になって、白熱電球とほぼ同等の限られた外形の中に蛍光ランプと点灯回路を内蔵するような回路規模では、蛍光ランプの明るさを常夜灯の程度の明るさまで十分に低減するのは困難である。
【０００５】
そこで、照明ユニットの中に、第１照明素子（蛍光放電容器）と第２照明素子（ＬＥＤ）とを備え、通常の光とオリエンテーションの光（ナイトランプまたは常夜灯等ともいう）との切り替えを行う技術が提案されている（例えば特許文献２参照）。
【特許文献１】特開２００４−１１９１６３号公報
【特許文献２】特表２００４−５３８６０１号公報
【発明の開示】
【発明が解決しようとする課題】
【０００６】
しかしながら、上記特許文献２の技術の場合、第１照明素子（蛍光放電容器）と第２照明素子（ＬＥＤ）とを切り替えることの記載はあるものの、具体的にどのような場合にどのように制御を行うかの開示はされていない。
また、特許文献２の技術の場合、第１照明素子の周囲に複数の第２照明素子を配置する構成をとっていることから、第２照明素子を点灯させたナイトランプの状態では、中央部の第１照明素子の影で照明ムラが生じるという問題がある。
さらに、特許文献２の技術の場合、第２照明素子は、第１照明素子の電極付近に配置されていることから熱の影響による劣化が免れないという問題がある。
【０００７】
本発明はこのような課題を解決するためになされたもので、単一のランプ装置によって通常照明から低照度まで容易に調光することができる電球形蛍光ランプ装置を提供することを目的としている。
【課題を解決するための手段】
【０００８】
上記した目的を達成するために、請求項１記載の発明の電球形蛍光ランプ装置は、外部のスイッチのオン・オフ操作により交流電源が供給、または供給停止されるソケットに装着される装置本体と；前記装置本体に配設された主光源としての蛍光ランプおよび補助光源と；前記外部のスイッチのオン操作により交流電源が供給されたとき、またはその後の前記スイッチのオフ・オン操作により交流電源の供給が停止された時間が一定時間以上経過した後、交流電源が再供給されたとき、インバータを駆動して前記蛍光ランプを点灯させる一方、前記スイッチのオフ・オン操作により交流電源の供給が停止された時間が前記一定時間以下で前記交流電源が再供給されたとき、前記蛍光ランプを消灯させ、かつ前記インバータを発振停止させると共に、前記補助光源を点灯させる制御回路と；を具備したことを特徴とする。
請求項１記載の発明では、外部スイッチのオン操作で交流電源がはじめて供給されたとき、およびその後の交流電源の供給停止から再供給までの時間が長い場合に蛍光ランプを点灯させるよう回路を構成したことで利用者の使い勝手を向上できる。
このように外部スイッチの入り切りの操作によって交流電源を供給または供給停止することで、蛍光ランプか補助光源のうち少なくとも一方を点灯させるので、電球形蛍光ランプとして低照度での点灯が可能になる。
【０００９】
請求項２記載の発明の電球形蛍光ランプ装置は、外部のスイッチのオン・オフ操作により交流電源が供給、または供給停止されるソケットに装着される装置本体と；前記交流電源を直流電圧に変換する整流回路と；前記整流回路から出力される直流電圧を平滑する平滑回路と；前記装置本体に配設された主光源としての蛍光ランプと；前記平滑回路の出力を変換して前記蛍光ランプを点灯させるように駆動するインバータと；前記装置本体に配設され、前記平滑回路と並列的に接続された補助光源と；前記外部のスイッチのオン・オフ操作による交流電源の供給または供給停止を検出し、検出した電源の供給状況に応じて前記蛍光ランプおよび補助光源のいずれか一方が点灯し他方が消灯するように制御する制御回路と；を具備したことを特徴とする。
請求項２記載の発明では、蛍光ランプおよび補助光源のうち、いずれか一方が点灯し他方が消灯するように制御する。補助光源を点灯させたときには、これと同時にインバータの発振を停止するので、発振によるノイズなどの影響をなすことができる。また省電力効果も期待できる。また、補助光源を平滑回路と並列的に接続したことで、平滑前の直流電圧に生じる脈流がなくなり、補助光源による明かりをちらつきのない品質の高いものにできる。
【００１０】
請求項３記載の発明の電球形蛍光ランプ装置は、請求項２記載の電球形蛍光ランプ装置において、前記整流回路と前記平滑回路との間、または前記平滑回路と前記インバータとの間に配置された過電流遮断器を備え、前記補助光源への直流電源を前記過電流遮断器の前段からとるよう回路を構成したことを特徴とする。
請求項３記載の発明では、補助光源への直流電源を過電流遮断器の前段からとるように回路を構成したことで、例えば蛍光ランプが寿命末期になり蛍光ランプが消えた場合に、過電流遮断が働いてインバータへの回路を遮断するものの、外部スイッチのオン操作で補助光源への電力供給は行われるので、常夜灯としての機能を維持できる。
一般に、発光ダイオードなどの補助光源は、蛍光ランプの１０倍程度の長寿命部品であり、蛍光ランプが先に切れた場合にも、発光ダイオードのみによる明かりを提供することができる。
【００１１】
請求項４記載の発明の電球形蛍光ランプ装置は、請求項１乃至３いずれか１記載の電球形蛍光ランプ装置において、前記制御回路は、前記補助光源を、前記蛍光ランプの明るさの５０％以下で点灯させる回路を具備したことを特徴とする。
請求項４記載の発明では、補助光源の点灯時の明るさを、蛍光ランプの明るさの５０％以下に抑えるよう回路を構成することで、一つのランプ本体を通常の光とナイトトランプ（常夜灯）の２つの明かりとして利用可能になるとともに、十分な省電力効果を実現できる。
【００１２】
請求項５記載の発明の電球形蛍光ランプ装置は、請求項１乃至４いずれか１電球形蛍光ランプ装置において、前記補助光源を前記装置本体のほぼ中心部分に配置する一方、前記補助光源を包囲するように前記蛍光ランプを配置したことを特徴とする。
請求項５記載の発明では、補助光源を装置本体のほぼ中心部分に配置する一方、補助光源を包囲するように蛍光ランプを配置することで、中央部分の補助光源を点灯させた場合には、装置本体の中央付近のみが均等に点灯し、均斉度のよい補助光源のあかりを提供できる。
【００１３】
請求項６記載の発明の電球形蛍光ランプ装置は、請求項１乃至５いずれか１記載の電球形蛍光ランプ装置において、前記補助光源を前記蛍光ランプの電極より前記蛍光ランプの頂部側へ離間するように底上げして配置したことを特徴とする。
請求項６記載の発明では、補助光源を蛍光ランプの電極より離すように底上げして配置したことで、発熱量の多い電極部分から補助光源を遠ざけることができ、熱の影響で補助光源が劣化することを回避できる。
一般に、発光ダイオードなどの補助光源は、長寿命部品であるが、熱の影響により寿命特性が低下するので、こうした不具合を抑制することができる。
【００１４】
請求項７記載の発明の電球形蛍光ランプ装置は、主光源としての蛍光ランプと；この蛍光ランプに対し補助的な光源として機能する補助光源と；前記蛍光ランプを点灯させるインバータと；前記インバータの電源である直流電源の正極と負極間に、前記補助光源を介して接続されたスイッチ素子と；前記スイッチ素子をオン・オフさせて前記補助光源を点灯させる補助光源点灯回路と；外部のスイッチのオン・オフ操作の時間に応じて前記蛍光ランプまたは補助光源のうちのいずれか一方が点灯させるように前記インバータおよび前記補助光源点灯回路を制御する調光制御回路と；外部のスイッチのオン操作によって前記直流電源からの入力で充電が開始されるコンデンサおよびこのコンデンサの電圧値によってトリガ電圧を前記インバータへ印加する起動回路と；前記調光制御回路の制御により、前記補助光源が点灯したときに、前記コンデンサに電荷が蓄積されないように前記スイッチ素子を介して前記コンデンサの両端間を通電させる放電回路と；を具備することを特徴とする。
【００１５】
請求項７記載の発明では、調光制御回路によりインバータおよび補助光源の点灯回路が制御されて蛍光ランプが消灯し補助光源が点灯したときに、起動回路のコンデンサに電荷が蓄積されないようにスイッチ素子を介してコンデンサの両端間を通電させるので、コンデンサに電荷が蓄積されなくなり、トリガ素子による不要なトリガパルスの発生をなくすることができ、この結果、回路動作を確実なものとすることができる。
【００１６】
請求項８記載の発明の電球形蛍光ランプ装置は、外部の位相制御調光器の操作に応じて、オフ期間が可変する位相制御電圧が供給、または供給停止されるソケットに装着される装置本体と；前記位相制御電圧を直流電圧に変換する整流回路と；前記整流回路から出力される直流電圧を平滑する平滑回路と；前記装置本体に配設された主光源としての蛍光ランプと；前記平滑回路の出力を変換して前記蛍光ランプを点灯させるように駆動するインバータと；前記装置本体に配設され、前記平滑回路と並列的に接続された補助光源と；前記位相制御調光器から入力される前記位相制御電圧を前記整流回路の前段から得ることで、前記位相制御電圧のオフ期間を検出するオフ期間検出回路と；前記オフ期間検出回路により所定期間以上のオフ期間が検出された場合に、前記蛍光ランプを消灯させ、かつ前記補助光源を点灯させる制御回路と；を具備したことを特徴とする。
【００１７】
請求項８記載の発明では、位相制御調光器から入力される位相制御電圧を整流回路の前段から得て位相制御電圧のオフ期間を検出するオフ期間検出回路を設けたことで、位相制御調光器を取り付けた空間へ電球形蛍光ランプ装置を適用することができるようになり、電球形蛍光ランプ装置の適用範囲を広げることができる。
【００１８】
請求項９記載の発明の電球形蛍光ランプ装置は、請求項８記載の電球形蛍光ランプ装置において、前記制御回路は、前記位相制御調光器より入力された前記位相制御電圧の位相の変化に応じて前記補助光源を調光制御することを特徴とする。
【００１９】
請求項９記載の発明では、位相制御調光器より入力された位相制御電圧の位相の変化に応じて補助光源を調光制御することで、蛍光ランプの調光に比べて誤動作や照明がちらつくことがなくなり、安定した調光制御を行うことができる。
【発明の効果】
【００２０】
以上説明したように本発明によれば、電球形蛍光ランプ装置への交流電源の供給状態を変化させることによって、蛍光ランプから補助光源への点灯に切り替えることができるので、単一のランプ装置によって通常照明から低照度まで容易に調光することができる。
【発明を実施するための最良の形態】
【００２１】
図１、２に示すように、この電球形蛍光ランプ装置は、蛍光ランプ本体１、点灯回路２、カバー３、口金４、グローブ５、仕切り板６を備えている。蛍光ランプ本体１は、第１発光部である透光性放電容器１ａ、蛍光体層、放電媒体、電極１ｂ、第２発光部である発光ダイオードＤ５３などを備えている。なお、カバー３、口金４、グローブ５などの外形部分を装置本体といい、内部の蛍光灯の部分を蛍光ランプ本体１という。
【００２２】
発光ダイオードＤ５３は、グローブ５に内蔵され、グローブ５または蛍光ランプ本体１のほぼ中心部分に配設されている。発光ダイオードＤ５３は、透光性放電容器１ａの端部の電極１ｂより離すように配線基板２ａから底上げし、蛍光ランプ本体１のほぼ中央付近の高さの位置に配設および配線されている。なお、電極１ｂより離す方向ならば、軸方向にさらに引き離して配置してもよい。
【００２３】
透光性放電容器１ａは、４本の外径１０ｍｍのＵ字状ガラス管１ａ１を３つの連結管１ａ２によって連結し、かつ、各Ｕ字状ガラス管１ａ１が円周上に等配されるように形成されている。すなわち、蛍光ランプとしての各Ｕ字状ガラス管１ａ１は、ほぼ中央部分の発光ダイオードＤ５３を包囲するように配置されている。発光ダイオードＤ５３のみを点灯させた場合、上記高さ位置とあいまって、蛍光ランプ本体１が、ほぼ円形にムラなく点灯するようになる。
【００２４】
Ｕ字状ガラス管１ａ１は、その両端にシール部１ａ３が形成されているとともに、それぞれ１個の細管１ａ４が一つのシール部１ａ３から外部へ突出している。細管１ａ４は、透光性放電容器１ａの内部に連通している。連結管１ａ２は、別に用意した管を用いてガラス溶着して形成してもよい。
【００２５】
そして、透光性放電容器１ａの内部を排気し、主アマルガム（図示せず）の収納や希ガスの封入する際に利用する。連結管１ａ２は、吹き破り法によって形成されている。
【００２６】
透光性放電容器１ａは、内部に屈曲された放電路が形成されるようにコンパクトな形に形成されており、より小形化のためには外径が１３ｍｍ以下、好ましくは８〜１１ｍｍ、さらに一層小形化を図るには３〜９ｍｍが好適である。
【００２７】
透光性放電容器１ａのより一層の小形化のための外径は、上記の数値範囲内で自由に選択できるが、外径が３ｍｍ未満であると、ランプ電流が絞られすぎてしまい、所望のランプ入力を確保するためには、ランプ電流が小さくなる分について放電路長を大きくして補わなければならなくなり、小形化を図れなくなる。
【００２８】
また、これに伴いランプ電圧が高くなるから、始動電圧も高くなり、点灯回路も大形化するとともに、コストアップになる。反対に、透光性放電容器１ａの外径が１３ｍｍを超えると、透光性放電容器１ａが大きくなりすぎて、コンパクトな蛍光ランプを得にくくなる。なお、透光性放電容器１ａの内径は、概ね外径に比例し、透光性放電容器１ａの肉厚の２倍を外径から減算した値の平均値である。
さらに、透光性放電容器１ａの少なくとも両端には、シール部１ａ３例えばステムシール部またはピンチシール部が形成されており、さらに要すれば、これに加えて中間にもステムシール部またはピンチシール部が形成される。
【００２９】
この例では透光性放電容器１ａの一例として、Ｕ字状に屈曲した複数のＵ字状ガラス管１ａ１を連結管１ａ２により接続するとともに、各Ｕ字状ガラス管１ａ１の部分を円周上に配列している。各Ｕ字状ガラス管１ａ１の間に形成される空隙部分を一方向から見透せるように前後に揃えて配列する。この他、１本の細長いガラス管を鞍形に湾曲したものを用いることもできる。さらにはガラス管をスパイラルに巻回することによって、透光性放電容器１ａをコンパクトな形に形成し、しかも内部に屈曲された放電路を形成することができる。
すなわち、この例では、装置本体の中心部分に発光ダイオードＤ５３を配置する一方、発光ダイオードＤ５３を包囲するように複数のＵ字状ガラス管１ａ１を連結してなる透光性放電容器１ａ（蛍光ランプ本体１）を配置している。
【００３０】
透光性放電容器１ａの両端に封装した一対の電極１ｂの間に形成される放電路の長さ、すなわち放電路長は、外径が上記範囲内であれば、電球形蛍光ランプのランプ電力に応じて２５０〜５００ｍｍに設定することができる。
【００３１】
透光性放電容器１ａは、上記の構造を備えていれば、その材料は制限されないが、一般的にはガラスを用いて構成することができる。この場合、ガラスとしてはソーダライムガラス、鉛ガラス、バリウムシリケートガラスなどの軟質ガラスを用いるのが経済的であるが、要すればホウケイ酸ガラスなどの硬質または半硬質ガラスを用いることもできる。
【００３２】
蛍光体層は、放電によって発生した紫外線を波長変換して所望波長域の可視光を得るために用いる。用いる蛍光体の種類は限定されないが、３波長発光形蛍光体は、耐熱特性および負荷特性に優れたものを得ることができるとともに、演色性に優れているので、好適である。
【００３３】
蛍光体層は、図示を省略しているが、３波長発光形蛍光体を主体として構成されており、透光性放電容器１ａの内面側に図示を省略しているアルミナ微粒子を主体とする保護膜を介して形成されている。
蛍光体層は、透光性放電容器１ａの内面に直接形成されていてもよく、また保護膜、反射膜などを介して間接的に形成してもよい。蛍光体層を透光性放電容器１ａの内面側に配設する。
【００３４】
透光性放電容器１ａの両端には一対の電極１ｂがシール部１ａ３を介して封装されている。電極１ｂの構造はフィラメント電極およびセラミックス電極などのいずれであってもよい。
【００３５】
電極１ｂが例えばフィラメント電極によって構成されている場合、電極１ｂは、タングステン線からなる３重コイルにアルカリ土類金属酸化物からなる電子放射物質の酸化物が塗布される。電極１ｂがフィラメント電極で、シール部１ａ３がピンチシール構造の場合には、封着の際にフィラメントの形状が乱れるのを防止するために、ビードマウント構造を採用して透光性放電容器１ａの両端にピンチシールする。
【００３６】
放電媒体は、透光性放電容器１ａ内に封入されており、広く普及している水銀および希ガスを用いる。希ガスは、アルゴン、クリプトン、キセノン、ネオンなどの一種または複数種を混合して数千〜数万Ｐａの圧力で封入する。
【００３７】
水銀は、アマルガムおよびアルゴンから供給される。アマルガムは、主アマルガムおよび補助アマルガムからなる。主アマルガムは、透光性放電容器１ａの細管１ａ４内に収納されている。そして、主アマルガムは、Ｈｇが６質量％のＢｉ−Ｉｎ−Ｈｇからなり、粒径約２．５ｍｍの粒子３個を封入している。
【００３８】
電球形蛍光ランプは、点灯中、高温になる。このため、高温下での水銀蒸気圧を最適に制御するためにアマルガムによって供給するのが一般的である。アマルガムを用いることにより、周囲温度の変化に対しても水銀蒸気圧を安定に制御でき、したがって安定した光出力を得ることができる。
【００３９】
補助アマルガム（図示しない。）は、ステンレス鋼の薄板にインジウムＩｎを鍍金してなり、主アマルガムの近傍に位置する電極１ｂの導入線に溶接されている。
電極１ｂの近傍に補助アマルガムを配設することにより、点灯初期に水銀蒸気を供給して、光束立ち上り特性を良好にすることができる。なお、電極１ｂの部分は、ランプの寿命末期には発熱量がさらに増加する。電極１ｂとは遠隔した位置に補助アマルガムが配設される場合には、シール部１ａ３に基端が封着された適当な導入線のような部材に支持させることができる。
【００４０】
補助アマルガムは、アマルガム形成金属例えばインジウムＩｎなどを所要の位置に配設することにより、透光性放電容器１ａ内において水銀が移動してアマルガムを形成するように構成される。アマルガム形成金属は、ステンレスなどの金属基体に蒸着などによって被着させることができる。
【００４１】
カバー３は、白色の遮光性の耐熱性合成樹脂をカップ状の筒体に成形して構成されている。そして、基端３ａが細く絞られ、先端３ｂが開口し、内部が空洞を形成していて、点灯回路２の殆どを包囲している。
【００４２】
カバー３は、少なくともその内部に点灯回路２を収納するとともに、蛍光ランプ本体１を支持し、かつ、基端３ａに口金４を支持する。さらに、グローブ５を備えた電球形蛍光ランプ装置においては、グローブ５をカバー３に固定することもできる。
【００４３】
点灯回路２をカバー３の内部に収納し、かつ、定置するために、補助的な部材、例えば仕切り板６を設ける。すなわち、仕切り板６に配線基板２ａを支持させるとともに、仕切り板６をカバー３の開口端を塞ぐようにカバー３に装着することにより、配線基板２ａをカバー３内に収納させる。
この場合、さらに仕切り板６をグローブ５と一緒にカバー３に固定する。しかし、要すれば、点灯回路２の配線基板２ａを直接カバー３内に支持させて収納してもよい。
【００４４】
また、蛍光ランプ本体１をカバー３に支持させるために仕切り板６を用いる。すなわち、蛍光ランプ本体１を仕切り板６に支持させ、仕切り板６をカバー３の開口端に固定する。そうして、カバー３の開口端に仕切り板６を装着することによって、カバー３に不要な開口ができないようにすることができる。
【００４５】
さらに、カバー３は、前述したようにその基端３ａに口金４を支持するが、白熱電球用照明器具への電球形蛍光ランプ装置の適合率を高めるために、中間部から基端部にかけて細く形成するのがよい。しかし、カバー３全体の形状は、電球形蛍光ランプ装置としてのデザインを考慮して決定されるべきである。なお、後述するグローブ５を備える場合、カバー３の形状は、蛍光ランプ本体１が露出する場合とでは、主としてデザイン的配慮から、異なるのは当然である。
【００４６】
例えば、Ｇ形グローブの場合には、カバー３をグローブ５と協働してＧ形バルブに近い形状になるように、球体の一部のような形状にすることができる。また、Ａ形グローブ５の場合にも、カバー３をグローブ５と協働してなるべくＡ形バルブに近い形状になるような形状にすることができる。
【００４７】
口金４は、例えばＥ２６形ねじ口金などの白熱電球と同等のものであり、カバー３の基端３ａにポンチによるカシメによって装着されている。口金４は、例えば天井面などに設けられたソケットに装着して商用交流電源（ＡＣ電源）を受電する受電手段であると共に、電球形蛍光ランプ装置を機械的に支持する手段として機能する。
【００４８】
口金４は、既知の口金を適宜選定して用いることができるが、例えば白熱電球などに多用されているＥ２６形ねじ口金が適当である。しかし、要すれば、異なる仕様の口金を用いてもよい。
【００４９】
また、口金４をカバー３に支持させるための手段は、特に制限されないので、既知の支持手段、例えばポンチによる機械的固着、すなわちカシメや接着などによって支持すればよい。
【００５０】
グローブ５は、透明ガラスバルブの内面に形成された光拡散性微粒子を含む塗付膜によって乳白色の光拡散性を備え、Ａ形をなしていて、蛍光ランプ本体１を包囲している。つまりグローブ５は、蛍光ランプ本体１の外側を包囲する手段である。
【００５１】
グローブ５を配設することにより、電球形蛍光ランプ装置に種々の機能を付与することができる。グローブ５の基端は、カバー３の先端の開口に接続されている。グローブ５およびカバー３は、外囲器ＡＪを形成している。
【００５２】
仕切り板６は、蛍光ランプ本体１および配線基板２ａを支持するとともに、外囲器ＡＪ内を発光室Ａと点灯回路収納室Ｂとに区分している。また、仕切り板６は、蛍光ランプ本体１および点灯回路２を支持するとともに、グローブ５と一緒にカバー３に固定するために、以下の構造を備えている。
【００５３】
すなわち、仕切り板６は、下方に開放した頂部が閉塞した筒部６ａおよび筒部６ａの外側に突出した鍔部６ｂを備える。筒部６ａの頂面６ａ１には、Ｕ字状ガラス管１ａ１の両端のシール部近傍を挿入するための挿入孔６ａ２が形成されている。この挿入孔６ａ２にＵ字状ガラス管１ａ１のシール部近傍を挿入し、シリコーン接着剤（図示せず）により接着して、蛍光ランプ本体１を仕切り板６に支持および固定している。
【００５４】
また、仕切り板６の筒部６ａの下端内部には、第２の配線基板（図示せず）が挿入され、支持されている。さらに、仕切り板６の鍔部６ｂがカバー３の開口部近傍の内面に当接するように仕切り板６がカバー３内に挿入され、上からグローブ５の開口端がカバー３の開口端に挿入した状態でシリコーン接着剤（図示せず）によって固着されている。
【００５５】
（第１実施形態）
次に、図３を参照して第１実施形態の点灯回路２の回路構成について説明する。
図３に示すように、点灯回路２は、図１に示した配線基板２ａに実装されている。配線基板２ａは、ほぼ円形をなし、仕切り板６を介してカバー３の開口端近傍に支持されている。
【００５６】
点灯回路２は、蛍光ランプ本体１を始動し、高周波点灯するための回路（手段）である。点灯回路２は、低周波交流電源ＡＳの入力端ＩＮａ，ＩＮｂ、壁スイッチＳＷ、フューズＦＵ１、ノイズフィルタＮＦおよび整流平滑回路ＲＳ、インバータＩＮＶ、負荷回路ＬＣ、駆動信号発生回路ＤＳＧ、調光制御回路ＤＣＣ、第２発光部である発光ダイオード回路ＬＥＤ、蛍光ランプ本体１などを有している。なお、点灯回路２は、必要に応じて他の構成を付加したり、または省いたりすることが許容される。
【００５７】
蛍光ランプ本体１は、一対の電極１ｂを介して負荷回路ＬＣの共振コンデンサＣ５に並列に接続されている。
低周波交流電源ＡＳは、この例の場合、商用１００Ｖ交流電源、つまり家庭用のＡＣ電源である。入力端ＩＮａ、ＩＮｂは、低周波交流電源ＡＳにソケット（図示せず）および口金４を介して接続されている。入力端ＩＮａは、外部スイッチとしての壁スイッチＳＷおよび過電流遮断器としてのフューズＦＵ１を介してブリッジ形全波整流回路ＦＢＲ１の電源入力端に接続されている。入力端ＩＮｂは、ブリッジ形全波整流回路ＦＢＲ１の他の電源入力端に接続されている。
【００５８】
整流平滑回路ＲＳは、ブリッジ形全波整流回路ＦＢＲ１および平滑コンデンサＣ２からなる。平滑コンデンサＣ２には、電解コンデンサが用いられている。つまり整流平滑回路ＲＳは、低周波交流を平滑化された直流に変換する手段であって、その交流入力端がノイズフィルタＮＦおよび口金４などを介して低周波交流電源ＡＳに接続され、直流出力端に平滑化直流を出力するものであり、整流機能および平滑化機能を含んでいる。
【００５９】
なお、この例では、ブリッジ形全波整流回路ＦＢＲ１は、整流機能を実現する手段であり、これ以外に任意所望により各種の整流回路を採用することができる。整流機能を実現する手段としては、ブリッジ形全波整流回路ＦＢＲ１の他、例えば倍電圧形全波整流回路、センタータップ形全波整流回路、半波整流回路などを用いることができる。
【００６０】
平滑コンデンサＣ２は、平滑化機能を実現する手段であり、脈流を含んだ不完全な平滑化を許容する。平滑化機能については、種々の平滑回路を任意所望に採用することができる。しかし、電球形蛍光ランプの白熱電球との代替性を高めるためおよび高調波含有率を公的な規格値内に収めるためには、平滑化機能の回路素子として用いる電解コンデンサの静電容量をなるべく小さく抑えて、電解コンデンサを小形化することが肝要である。
【００６１】
ノイズフィルタＮＦは、整流平滑回路ＲＳの直流出力側において線路に直列に挿入されたインダクタＬ１および同じく入力側において線路間に並列的に接続されたコンデンサＣ１を備える。
【００６２】
ノイズフィルタＮＦは、インバータＩＮＶのスイッチングによって発生する高周波ノイズを低周波交流電源ＡＳ側に流出させないように除去する回路である。ここで「高周波」とは、周波数１０ＫＨｚ以上を意味し、好ましくは周波数２０ＫＨｚ〜３０ＭＨｚである。
【００６３】
インバータＩＮＶは、直流を交流に変換する手段であり、各種回路方式のインバータを用いることができる。その中でも、コストが低くて小形化しやすいハーフブリッジ形インバータが好適である。また、インバータＩＮＶは、入力端、出力端および制御端を備えていて、入力端には直流電圧が印加され、出力端には高周波電圧が現れる。
【００６４】
インバータＩＮＶは、ハーフブリッジ形インバータであり、第１および第２のスイッチング素子Ｑ１、Ｑ２を主体として構成されている。
第１のスイッチング素子Ｑ１は、例えばＮチャンネル形ＭＯＳＦＥＴである。この第１のスイッチング素子Ｑ１のドレインは、整流平滑回路ＲＳの直流出力端の正極に接続されている。
【００６５】
第２のスイッチング素子Ｑ２は、例えばＰチャンネル形ＭＯＳＦＥＴである。この第２のスイッチング素子Ｑ２のソースは第１のスイッチング素子Ｑ１のソースに接続されている。第２のスイッチング素子Ｑ２のドレインは、整流平滑回路ＲＳの直流出力端の負極に接続されている。
これにより、第１および第２のスイッチング素子Ｑ１、Ｑ２の直列回路の両端間、すなわちインバータＩＮＶの入力端に整流平滑回路ＲＳから出力される平滑化直流電圧が印加される。
【００６６】
制御端には第１および第２のスイッチング素子Ｑ１、Ｑ２を駆動するための後述する駆動信号発生回路からの駆動信号が入力する。また、第１および第２のスイッチング素子は、電流駆動形のスイッチング手段、例えばバイポーラ形トランジスタ、ならびに電圧駆動形のスイッチング手段、例えば電界効果形トランジスタ（ＦＥＴ）などいずれの駆動形式のものであってもよい。
【００６７】
なお、第１および第２のスイッチング素子Ｑ１、Ｑ２が高周波スイッチングを行なうために、起動回路ＳＴなどの付随的な回路を高周波インバータに付設する。起動回路ＳＴは、抵抗器Ｒ２、Ｒ３および後述するドライブ保護回路ＤＰからなる。抵抗器Ｒ２は、低周波交流電源ＡＳの一端と第１および第２のスイッチング素子Ｑ１、Ｑ２のゲートとの間に接続されている。抵抗器Ｒ３は、第２のスイッチング素子Ｑ２のソース・ドレイン間に接続されている。
【００６８】
また、第１および第２のスイッチング素子Ｑ１、Ｑ２は、同一極性および相補形のいずれでもよい。なお、ＦＥＴは、電圧ドライブ形のスイッチング素子であるため、駆動が容易である。また、ＭＯＳＦＥＴは、安全動作領域による制約の少ない電力用のスイッチング素子として効果的である。
【００６９】
さらに、エンハンスメント形ＭＯＳＦＥＴは、電源投入時の処理が容易で電力用のスイッチング手段として好適である。また、Ｎチャンネル形ＭＯＳＦＥＴが現状では商品ラインアップが豊富であるから、有利である。しかし、要すれば、Ｐチャンネル形ＭＯＳＦＥＴを用いることができる。
【００７０】
本実施形態では、一方のスイッチング素子にＮチャンネル形ＭＯＳＦＥＴを用い、他方のスイッチング素子にＰチャンネル形ＭＯＳＦＥＴを用いることにより、第１および第２のスイッチング素子Ｑ１、Ｑ２を相補形に構成している。
【００７１】
第１および第２のスイッチング素子Ｑ１、Ｑ２は、駆動端子を備えていることが許容される。そして、駆動端子に所定の極性の駆動信号が供給されたときに駆動、すなわちオンされる。エンハンスメント形ＭＯＳＦＥＴにおいては、駆動端子であるところのゲートと、ソースとの間に駆動信号であるところのゲート電圧が印加されたときに、チャンネルが形成されてオン状態になる。したがって、ゲート電圧が印加されない状態ではオフ状態を維持する。
【００７２】
第１および第２のスイッチング素子Ｑ１、Ｑ２は、平滑化直流電圧が印加されるように直列的に接続されており、整流平滑回路ＲＳから見て第１および第２のスイッチング素子Ｑ１、Ｑ２が直列的な接続関係にある。第１および第２のスイッチング素子Ｑ１、Ｑ２と整流平滑回路ＲＳとの間に他の回路部品、例えばインダクタや抵抗器などが介在していてもよい。また、第１および第２のスイッチング素子の間に回路部品を介在させてもよい。
【００７３】
負荷回路ＬＣは、直流カットコンデンサＣ４、限流インダクタＬ２および共振コンデンサＣ５の直列回路によって構成されている。直流カットコンデンサＣ４の静電容量が相対的に大きいので、主として限流インダクタＬ２および共振コンデンサＣ５が負荷共振回路を構成している。
【００７４】
つまり負荷回路ＬＣは、インバータから出力される高周波交流により作動して蛍光ランプ本体１を安定に点灯する回路手段である。蛍光ランプ本体１を始動して安定に点灯するために、限流インダクタＬ２および始動回路などを備える。
【００７５】
また、インバータＩＮＶから直流成分が負荷回路ＬＣに流入しないように直流カットコンデンサＣ４を介在させる。
始動回路は、例えば限流インダクタＬ２と直列共振回路を形成する共振コンデンサＣ５とを蛍光ランプ本体１と並列的に接続して構成する。
さらに、蛍光ランプ本体１の一対の電極１ｂを所要温度に加熱するために、電極加熱回路を付加回路に付設する。
【００７６】
駆動信号発生回路ＤＳＧは、帰還変圧器ＮＳＴ、ドライブ共振回路ＤＲＣ、インバータ発振停止回路ＩＯＳＣおよびインバータＩＮＶなどを備える帰還形の回路であり、インバータＩＮＶを自励式として駆動する。つまり、この駆動信号発生回路ＤＳＧは、負荷回路ＬＣに１次巻線ｗｐが直列に挿入された帰還変圧器ＮＳＴおよびドライブ共振回路ＤＲＣを含む帰還形駆動信号発生回路を主体とする自励式の構成を用いている。
【００７７】
駆動信号発生回路ＤＳＧは、駆動信号を発生してインバータＩＮＶの第１および第２のスイッチング素子Ｑ１、Ｑ２を駆動する手段であるが、インバータＩＮＶを自励制御してもよく、他励制御してもよい。自励制御は、インバータＩＮＶの高周波出力を帰還して駆動信号を形成し、インバータＩＮＶを駆動する。また、他励形の場合には、ドライバＩＣを主体として用いて外部回路を簡単化、かつ、コンパクト化することができる。
【００７８】
帰還変圧器ＮＳＴは、コア、１次巻線ｗｐおよび２次巻線ｗｓなどからなる。コアは、ドラム形のフェライトコアであり、磁路が開放されている。１次巻線ｗｐは、負荷回路ＬＣの直流カットコンデンサＣ４とスイッチング素子Ｑ１、Ｑ２のソースの間に挿入されている。２次巻線ｗｓは、第１および第２のスイッチング素子Ｑ１、Ｑ２のソースと、ドライブ共振コンデンサＣ７および結合コンデンサＣ８の接続点との間に接続されている。
【００７９】
ドライブ共振回路ＤＲＣは、ドライブ共振コンデンサＣ７および帰還変圧器ＮＳＴを直列に接続することで、ドライブ共振コンデンサＣ７と帰還変圧器ＮＳＴのインダクタンスとの実効的な合成静電容量とで形成される直列共振回路である。
【００８０】
インバータ発振停止回路ＩＯＳＣは、スイッチング素子Ｑ３とダイオードＤ５０からなる。スイッチング素子Ｑ３は、ＭＯＳＦＥＴであり、ドライブ共振コンデンサＣ７と並列に接続されている。インバータ発振停止回路ＩＯＳＣのスイッチング素子Ｑ３がオフ状態のときにドライブ共振回路ＤＲＣに電圧が印加されてインバータＩＮＶが発振する。スイッチング素子Ｑ３がオン状態になると、ドライブ共振回路ＤＲＣへの電圧が短絡するためインバータＩＮＶの発振が停止する。
【００８１】
ドライブ保護回路ＤＰは、一対のツェナーダイオードＺＤ１、ＺＤ２の逆直列回路からなる。ドライブ保護回路ＤＰは、第１および第２のスイッチング素子Ｑ１、Ｑ２のゲート・ソース間に接続されている。ドライブ保護回路ＤＰは、所要の駆動電圧を越える電圧を吸収して、第１および第２のスイッチング素子Ｑ１、Ｑ２のゲートを過電圧から保護する。
【００８２】
調光制御回路ＤＣＣは、ＡＣ電源オフ検出回路ＡＣＰＯＤＣ、チャージポンプ回路ＣＰＣ、発光ダイオード回路ＬＥＤの点消灯を制御するＬＥＤ点灯回路ＬＬＣなどを有している。ＡＣ電源オフ検出回路ＡＣＰＯＤＣは、電圧比較回路ＶＣ、ラッチ回路ＬＴＣなどを有している。
【００８３】
ＡＣ電源オフ検出回路ＡＣＰＯＤＣは、調光指令信号を識別するためには、例えばコンデンサの放電時定数が異なる時定数回路を主体とする複数の電圧保持回路ＶＨ１、ＶＨ２からなる電圧比較回路ＶＣを用いて、上記複数の電圧保持回路ＶＨ１、ＶＨ２の電圧を比較するように構成する。
【００８４】
電圧比較回路ＶＣは、抵抗器Ｒ４、Ｒ５の直列回路、ならびに第１および第２の電圧保持回路ＶＨ１、ＶＨ２からなる。抵抗器Ｒ４、Ｒ５の直列回路は、電圧分圧回路を構成している。
【００８５】
第１の電圧保持回路ＶＨ１は、抵抗器Ｒ５に並列接続されたコンデンサＣ９である。第２の電圧保持回路ＶＨ２は、抵抗器Ｒ５に並列接続されたダイオードＤ１および電解コンデンサＣ１０の直列回路である。
【００８６】
ラッチ回路ＬＴＣは、プログラマブル・ユニジャンクション・トランジスタ１（以下ＰＵＴ１と称す）、ツェナーダイオードＺＤ３および抵抗器Ｒ６、Ｒ７から構成されている。ＰＵＴ１は、抵抗器Ｒ６と直列回路を構成し、電解コンデンサＣ１０に並列接続されている。
【００８７】
ツェナーダイオードＺＤ３は、ＰＵＴ１のアノードと制御端子との間に図示極性に接続されている。抵抗器Ｒ７は、ダイオードＤ１のアノードとツェナーダイオードＺＤ３のカソードとの間に接続されている。
【００８８】
チャージポンプ回路ＣＰＣは、ダイオードＤ２、抵抗器Ｒ８、Ｒ９およびコンデンサＣ１１などから構成されている。ダイオードＤ２のアノードはＰＵＴ１および抵抗器Ｒ６の接続点に接続されている。
【００８９】
ダイオードＤ２のカソードは、抵抗器Ｒ８を介してインバータ発振停止回路ＩＯＳＣのスイッチング素子Ｑ３のゲートに図示極性のように接続されている。抵抗器Ｒ９およびコンデンサＣ１１は、上記スイッチング素子Ｑ３のゲート・ソース間に並列に接続されている。
【００９０】
ＬＥＤ点灯回路ＬＬＣは、ＬＥＤ点消灯制御用のスイッチング素子Ｑ５０と抵抗器Ｒ５０とを備える。抵抗器Ｒ５０の一端は、抵抗器Ｒ６とＰＵＴ１との間に接続されている。また、抵抗器Ｒ５０の他端は、スイッチング素子Ｑ５０のゲートに接続されている。
【００９１】
ＬＥＤ点灯回路ＬＬＣは、抵抗器Ｒ６の両端に電圧が発生し、コンデンサＣ９、Ｃ１０が充電された後の放電によりＰＵＴ１がオンしたときに抵抗器Ｒ６を通してスイッチング素子Ｑ５０のゲートに電圧が印加されてスイッチング素子Ｑ５０をオンし、スイッチング素子Ｑ５０のソース・ドレイン間を導通させる回路である。
【００９２】
スイッチング素子Ｑ５０がオンすると、整流平滑回路ＲＳ（平滑コンデンサＣ２）から抵抗器Ｒ５３を通じて発光ダイオードＤ５３に電流が流れ、発光ダイオードＤ５３が点灯する。このとき、インバータ発振停止回路ＩＯＳＣ内のスイッチング素子Ｑ３はオン状態なので、インバータＩＮＶは、発振を停止し、蛍光ランプ本体１は消灯する。
【００９３】
発光ダイオード回路ＬＥＤは、発光ダイオードＤ５３と抵抗器Ｒ５３とを直列に接続したものである。本例では、４セットの発光ダイオード回路ＬＥＤを直列に接続したものが用いられている。抵抗器Ｒ５３の一端は、ノイズフィルタＮＦの出力端（インダクタＬ１）に接続されている。
【００９４】
発光ダイオード回路ＬＥＤは、蛍光ランプ本体１だけの調光では不可能な明るさ、つまり蛍光ランプ本体１の点灯時の明るさの５０％以下で点灯させるよう発光ダイオードＤ５３やその周辺の回路の定数が設定されている。この例では発光ダイオード回路ＬＥＤは、蛍光ランプ本体１の点灯時の１０％〜２０％程度の明るさで点灯させるよう回路が構成されている。
【００９５】
具体的には、インダクタＬ１の出力端（平滑コンデンサＣ２）には直流１４０Ｖが供給され、４セット分の発光ダイオード回路ＬＥＤは、消費電力として１．２Ｗ程度で点灯する。また、蛍光ランプ本体１は、消費電力は１２Ｗ程度である。
【００９６】
インバータ発振停止回路ＩＯＳＣは、チャージポンプ回路ＣＰＣ（ダイオードＤ２，抵抗器Ｒ８等）から供給されるオン信号により、コンデンサＣ１１に電圧をためることで、スイッチング素子Ｑ３をオンさせることで、ハーフブリッジ回路のドライブ用帰還電圧をダイオードＤ５０を通してＬＯＷに落とす回路である。これによりインバータＩＮＶは、発振が維持できなくなり発振停止する。
【００９７】
つまりＡＣ電源オフ検出回路ＡＣＰＯＤＣは、壁スイッチＳＷのオン・オフ操作による低周波交流電源ＡＳからの交流電源の電力供給または供給停止の時間に応じて、インバータ発振停止回路ＩＯＳＣおよびＬＥＤ点灯回路ＬＬＣを制御して、蛍光ランプ本体１および発光ダイオード回路ＬＥＤの点消灯を制御する制御回路（手段）である。
【００９８】
「壁スイッチのオン・オフ操作による低周波交流電源ＡＳからの電力供給または供給停止の時間に応じて」とは、壁スイッチのオン・オフ操作の組み合わせ（オン→オフ→オンなど）やオフ時間の長さ（長短など）が含まれる。
【００９９】
オン操作およびオフ操作の組み合わせは、例えば低周波交流電源ＡＳからの電源供給を短い間隔で停止したり、オフ操作に引き続くオン操作での電源の再供給を行うことなどであり、それらの有無または操作回数により調光指令信号の内容が識別される。
【０１００】
また、オフ時間の長さによる場合とは、例えば３秒を超える長いオフ時間と３秒以内（１〜２秒程度）の短いオフ時間とで異なる内容として識別される。
【０１０１】
ＡＣ電源オフ時間検出回路ＡＣＰＯＤＣは、電源投入後、抵抗器Ｒ４を通じてコンデンサＣ９を充電する。またＡＣ電源オフ時間検出回路ＡＣＰＯＤＣは、電源投入後、抵抗器Ｒ４，ダイオードＤ１を通じてコンデンサＣ１０を充電する。
【０１０２】
充電時には、コンデンサＣ１０の電圧とコンデンサＣ９の電圧とで電位差が生じる。つまりダイオードＤ１のフォワード電圧分（約０．６Ｖ）だけコンデンサＣ１０の電圧の方が低くなる。
【０１０３】
ＰＵＴ１は、ゲート電圧が、アノード電圧よりも０．６Ｖ以上低下した場合にオンし、その後、ゲート電圧値に関わらずオンを保持する。
この回路では、ＰＵＴ１のアノード電圧は、コンデンサＣ１０の電圧（以下ＶＣ１０という）であり、ゲート電圧は、コンデンサＣ９の電圧（以下ＶＣ９という）であるので、充電時にはＰＵＴ１はオンしない（ＶＣ９＞ＶＣ１０）。
【０１０４】
一方、壁スイッチＳＷのオフ操作によって電源供給が停止されると、コンデンサＣ９，Ｃ１０は、共に放電を開始する。コンデンサＣ９は、抵抗器Ｒ５を通して比較的早く放電する。コンデンサＣ１０は、抵抗器Ｒ１０を通してゆっくりと放電する。このとき、互いの時間差からＶＣ９＜ＶＣ１０の状態が発生する。ＶＣ９がＶＣ１０よりも０．６Ｖ低くなると、ＰＵＴ１はオンする。この時間を１秒〜２秒程度に設定する。
【０１０５】
その後、ユーザが壁スイッチＳＷをオンしてＡＣ電源が点灯回路２に供給されると、抵抗器Ｒ４を通してコンデンサＣ９，Ｃ１０が充電されるが、一度オンしたＰＵＴ１は、電解コンデンサＣ２の電圧が残っている時間内（約３秒）は、抵抗器Ｒ４、ダイオードＤ１を経て供給される保持電流の効果により、オン状態を解除しない。
ＰＵＴ１のオン状態が維持されることにより、抵抗器Ｒ６の両端に電圧が発生する。この電圧は、インバータ発振停止回路ＩＯＳＣのスイッチング素子Ｑ３をオンさせるためのチャージポンプ回路ＣＰＣの電源（オン信号）となる。
【０１０６】
すなわち、ＡＣ電源オフ時間検出回路ＡＣＰＯＤＣおよびインバータ発振停止回路ＩＯＳＣなどの制御回路は、壁スイッチＳＷのオン操作によりＡＣ電源が供給されたとき、またはその後の壁スイッチＳＷのオフ・オン操作によりＡＣ電源の供給が停止された時間が一定時間（３秒）以上経過した後、抵抗器Ｒ４、ダイオードＤ１からＰＵＴ１のオンを維持するための保持電流の供給がなくなると、ＰＵＴ１はオフ状態となり、ＡＣ電源が再供給されたとき、インバータＩＮＶを駆動して蛍光ランプ本体１を点灯させる一方、壁スイッチＳＷのオフ・オン操作によりＡＣ電源の供給が停止された時間が一定時間（３秒）以下（１、２秒程度）でＡＣ電源が再供給されたとき、蛍光ランプ本体１を消灯させると共に発光ダイオードＤ５３を点灯させる機能を有している。
【０１０７】
次に、この電球形蛍光ランプ装置の動作について説明する。
（蛍光ランプ点灯動作）
ユーザが壁スイッチＳＷをオン操作して低周波交流電源ＡＳから電源を供給すると、整流平滑回路ＲＳにより平滑化された直流電圧がインバータＩＮＶの入力端間に印加される。
しかし、インバータＩＮＶの第１および第２のスイッチング素子Ｑ１、Ｑ２は、ゲート電圧が印加されていないので、オフ状態のままである。
【０１０８】
一方、低周波交流電源ＡＳからの低周波交流電圧は、上記同時に直接起動回路ＳＴにも印加される。これにより、抵抗器Ｒ２および抵抗器Ｒ３を介してドライブ保護回路ＤＰの両端に交流電圧が分圧されて現れる。この結果、ドライブ保護回路ＤＰに生じる電圧降下が第１および第２のスイッチング素子Ｑ１、Ｑ２のゲート・ソース間に対して順方向になるスイッチング素子Ｑ１がオンする。
【０１０９】
例えば第１のスイッチング素子Ｑ１がオンしたとすると、第２のスイッチング素子Ｑ２は、ドライブ保護回路ＤＰの電圧降下が逆方向なので、オフ状態を維持する。
【０１１０】
そして、インバータＩＮＶが起動し、以後は駆動信号発生回路ＦＤＧから発生する駆動信号によってインバータＩＮＶが駆動される。すなわち、インバータＩＮＶが起動して負荷回路ＬＣに負荷電流が流れると、駆動信号発生回路ＦＤＧの帰還変圧器ＮＳＴの１次巻線ｗｐに電圧降下が生じ、２次巻線ｗｓに２次電圧が誘起される。
【０１１１】
そして、２次電圧が２次巻線ｗｐのインダクタンスとドライブ共振コンデンサＣ７のキャパシタンスとの直列共振がドライブ共振回路ＤＲＣに生じてドライブ共振電圧がドライブ共振コンデンサＣ７の両端に発生する。このドライブ共振電圧は、結合コンデンサＣ８およびドライブ保護回路ＤＰを介してインバータＩＮＶの第１および第２のスイッチング素子Ｑ１、Ｑ２のゲート・ソース間に印加される。
【０１１２】
この結果、インバータＩＮＶは、持続的に自励発振して、その出力端である第２のスイッチング素子Ｑ２の両端間に高周波電圧が連続的に発生する。
【０１１３】
インバータＩＮＶが作動すると、高周波電圧が発生し、その出力端に現れる。その結果、高周波電圧が帰還変圧器ＮＳＴの１次巻線ｗｐ、負荷回路ＬＣの直流カットコンデンサＣ４および限流インダクタＬ２を経由して蛍光ランプ本体１の一対の電極１ｂ、１ｂ間に限流インダクタＬ２と共振コンデンサＣ５との直列共振により高められて印加されるので、蛍光ランプ本体１が始動し、ユーザがこのまま壁スイッチＳＷを何も操作しない場合は、蛍光ランプ本体１が点灯する。
【０１１４】
（発光ダイオードＤ５３の点灯動作）
点灯回路２へ電源が供給されると、始動中の蛍光ランプ本体１は通常どおり点灯し、発光ダイオード回路ＬＥＤは消灯したままになる。一方、電源供給後、ユーザが壁スイッチＳＷをオフ操作→オン操作を１秒〜２秒の間にすばやく行うことで、始動中の蛍光ランプ本体１の点灯を停止させて、発光ダイオード回路ＬＥＤを点灯させて暗い明かりの状態へ調光することができる。
【０１１５】
以下、このときの回路動作について説明する。
ユーザが壁スイッチＳＷを始めてオン操作することで低周波交流電源ＡＳから電源が供給されると、上述したようにインバータＩＮＶが起動するのと同時に調光制御回路ＤＣＣにも平滑化された直流電圧が印加される。
【０１１６】
この結果、電圧比較回路ＶＣの第１の電圧保持回路ＶＨ１を構成するコンデンサＣ９および第２の電圧保持回路ＶＨ２の電解コンデンサＣ１０がともに充電時定数が同じなので、同時に充電される。
【０１１７】
しかし、第１の電圧保持回路ＶＨ１による保持電圧Ｖ１の方が第２の電圧保持回路ＶＨ２による保持電圧Ｖ２よりダイオードＤ１における電圧降下の分の０．６Ｖだけ高くなっている。
【０１１８】
このため、ラッチ回路ＬＴＣでは、そのＰＵＴ１の制御端子に抵抗器Ｒ７を介して印加される電圧Ｖ１がアノードの電位Ｖ２より０．６Ｖ高く、ＰＵＴ１がオフしたままでいる。
【０１１９】
この結果、チャージポンプ回路ＣＰＣが動作せず、インバータ発振停止回路ＩＯＳＣ内のスイッチング素子Ｑ３はオフのまま、ドライブ共振回路ＤＲＣのキャパシタンスがドライブ共振コンデンサＣ７の静電容量となり、インバータＩＮＶが発振し、蛍光ランプ本体１を点灯させるために始動する。
【０１２０】
始動後、ユーザが壁スイッチＳＷをオフ操作し、低周波交流電源ＡＳからの交流電源の供給が停止すると、第１および第２の電圧保持回路ＶＨ１、ＶＨ２は、共に放電を開始する。
【０１２１】
このとき、第１の電圧保持回路ＶＨ１は、抵抗器Ｒ５を経由して放電するので、その放電時定数が比較的小さい。ただし、充電時定数よりは大きい。したがって、第１の電圧保持回路ＶＨ１は、急速に放電する。
【０１２２】
これに対して、第２の電圧保持回路ＶＨ２は、抵抗器Ｒ１０の抵抗値が大きいため、主な放電経路は、ツェナーダイオードＺＤ３および抵抗器Ｒ７、Ｒ５を経由して放電するので、その放電時定数が相対的に大きい。
【０１２３】
したがって、第２の電圧保持回路ＶＨ２は、緩やかに放電する。このため、ラッチ回路ＬＴＣにおけるＰＵＴ１の制御端子の電位は、第２の電圧保持回路ＶＨ２からツェナーダイオードＺＤ３を経由して印加される電位の方が抵抗器Ｒ７を経由して印加される電位より高くなるが、ツェナーダイオードＺＤ３の電圧降下の０．６ＶだけＰＵＴ１のアノードの電位より低くなる。互いの電位差が０．６Ｖを超えると、ＰＵＴ１がオンする。
ＰＵＴ１を確実にオンさせるため、比較的、順方向電圧降下の大きいツェナーダイオードをＺＤ３に用いるのが効果的である。順方向降下電圧が０．６Ｖ以上あれば、一般のダイオードでも良い。
【０１２４】
回路定数の設定により、放電時にコンデンサＣ９の電圧ＶＣ９がコンデンサＣ１０の電圧ＶＣ１０よりも０．６Ｖ低くなる時間を１秒〜２秒程度に設定しておく。なお、そのまま壁スイッチＳＷがオン操作されずに放電が進むと、平滑コンデンサＣ２の放電も進み、抵抗器Ｒ４、ダイオードＤ１を通してＰＵＴ１の保持電流を供給できなくなり、ＰＵＴ１はオフする。
【０１２５】
壁スイッチＳＷがオフ操作されてから３秒以内に壁スイッチＳＷが再度オン操作されてＡＣ電源が供給されると、抵抗器Ｒ４を通して、コンデンサＣ９，Ｃ１０が充電されるが、一度オンしたＰＵＴ１は、抵抗器Ｒ４、ダイオードＤ１からの保持電流があるので、オン状態を解除しない。
【０１２６】
ＰＵＴ１のオンが維持されることにより、抵抗器Ｒ６の両端に電圧が発生する。この電圧は、スイッチング素子Ｑ３をオンさせるためのチャージポンプ回路ＣＰＣの電源となる。
【０１２７】
これにより、インバータ発振停止回路ＩＯＳＣのスイッチング素子Ｑ３のゲートへオン信号が供給されて、スイッチング素子Ｑ３をオンする。ラッチ回路ＬＴＣは、ＰＵＴ１のオン状態にラッチするので、インバータ発振停止回路ＩＯＳＣのスイッチング素子Ｑ３もオン状態に維持される。
【０１２８】
インバータ発振停止回路ＩＯＳＣは、スイッチング素子Ｑ３のオンにより、スイッチング素子Ｑ３のソース・ドレイン間が導通し、ハーフブリッジ回路のドライブ帰還電圧がダイオードＤ５０を通してＬＯＷに落ちる。これにより、インバータＩＮＶは、発振が維持できなくなり発振停止し、始動中だった蛍光ランプ本体１は消灯する。
【０１２９】
インバータ発振停止回路ＩＯＳＣの回路動作をさらに詳述すれば、ラッチ回路ＬＴＣのＰＵＴ１がオンすると、抵抗器Ｒ６に電圧降下が生じ、チャージポンプ回路ＣＰＣのダイオードＤ２および抵抗器Ｒ８を経由してコンデンサＣ１１を充電するので、インバータ発振停止回路ＩＯＳＣのスイッチング素子Ｑ３は、そのゲート電位がソース電位に対して正のスレッシュホールド電圧より高くなった段階でオンする。
【０１３０】
すると、スイッチング素子Ｑ３のソース・ドレイン間が導通し、ハーフブリッジ回路のドライブ帰還電圧がダイオードＤ５０を通してＬＯＷに落ち、インバータＩＮＶの発振が停止し、始動中だった蛍光ランプ本体１は消灯する。
【０１３１】
一方、ＰＵＴ１のオンで抵抗器Ｒ６の両端に電圧が発生すると、その電圧が抵抗器Ｒ５０を通じてスイッチング素子Ｑ５０のゲートに供給されてスイッチング素子Ｑ５０をオンさせ、ソース・ドレイン間が導通する。
【０１３２】
すると、全波整流回路（平滑コンデンサＣ２の一端）から抵抗器Ｒ５３を通じて発光ダイオードＬＥＤに電流が流れ、発光ダイオードＬＥＤは点灯する。このとき、インバータ発振停止回路ＩＯＳＣ内のスイッチング素子Ｑ３はオン状態なので、蛍光ランプ本体１は消灯している。
【０１３３】
このようにこの第１実施形態の点灯回路を備える電球形蛍光ランプ装置によれば、装置本体に蛍光ランプ本体１と発光ダイオード回路ＬＥＤとを内蔵し、壁スイッチＳＷの操作によりＡＣ電源を初めに投入したとき、またはＡＣ電源のオフ時間が一定時間以上経過した後、ＡＣ電源を再投入したときに、蛍光ランプ本体１を点灯させる一方、ＡＣ電源のオフ時間が一定時間以内でＡＣ電源を再投入したときには、蛍光ランプ本体１を消灯すると共に発光ダイオード回路ＬＥＤを点灯させるので、壁スイッチＳＷの操作に応じて通常のあかり（蛍光ランプの点灯によるあかり）と常夜灯程度のあかり（発光ダイオードＤ５３の点灯によるあかり）の２つのあかりに調光することができる。
【０１３４】
（第２実施形態）
次に、図４を参照して第２実施形態の点灯回路２０を備える電球形蛍光ランプ装置について説明する。
この第２実施形態は、第１実施形態の点灯回路２の発光ダイオード回路ＬＥＤの電源の取り方を変えた例である。なお発光ダイオード回路ＬＥＤの部分以外の回路構成は、第１実施形態と同様でありその説明は省略する。
【０１３５】
図４に示すように、この点灯回路２０は、ブリッジ形全波整流回路ＦＢＲ２を備える。ブリッジ形全波整流回路ＦＢＲ２の入力端の一端は、フューズＦＵ２を介して、壁スイッチＳＷとフューズＦＵ１との間の接続点に接続されている。また、ブリッジ形全波整流回路ＦＢＲ２の入力端の他端は、入力端ＩＮｂに接続されている。
【０１３６】
ブリッジ形全波整流回路ＦＢＲ２の各出力端は、それぞれ発光ダイオード回路ＬＥＤに接続されている。フューズＦＵ１は、これ以外にも過電流遮断器であれば、他のものも利用できる。発光ダイオード回路ＬＥＤは、抵抗器Ｒ５３と発光ダイオードＤ５３とを直列に接続したものである。
【０１３７】
この第２実施形態では、壁スイッチＳＷとフューズＦＵ１との間のＡＣ電源（交流電源）より発光ダイオード回路ＬＥＤの電源を取るよう回路が接続されている。
【０１３８】
このようにＡＣ電源から直接電源供給されるブリッジ形全波整流回路ＦＢＲ２を介在させることで、発光ダイオード回路ＬＥＤには、電源サイクルの２倍の脈流が発生する。
【０１３９】
この第２実施形態の点灯回路２０の場合、壁スイッチＳＷのオン操作で、低周波交流電源ＡＳより電源が供給されると、発光ダイオード回路ＬＥＤは、インバータＩＮＶの動作や蛍光ランプ本体１の点灯状況に関係なく常時点灯する。
インバータＩＮＶが壁スイッチＳＷのオン・オフ操作で発振または発振停止する動作は第１実施形態の点灯回路２と同じである。
【０１４０】
一般に、発光ダイオードは、蛍光ランプに比べて寿命が１０倍程度、長いことが知られている。例えば蛍光ランプの寿命が６０００時間であるのに対して、発光ダイオードの寿命は６万時間とも言われている。
【０１４１】
これを前提にすると、この電球形蛍光ランプ装置のように、装置本体内に、蛍光ランプ本体１と発光ダイオード回路ＬＥＤとを内蔵する機器では、蛍光ランプ本体１の寿命が先に到来し、フューズＦＵ１が切れることになるが、この第２実施形態の点灯回路２０のように回路を構成することで、フューズＦＵ１が切れた場合でも、発光ダイオード回路ＬＥＤは、壁スイッチＳＷに連動して点消灯を維持するので、蛍光ランプ本体１が点灯しない場合でも、この電球形蛍光ランプ装置を常夜灯として利用を継続できる。
【０１４２】
また、通常の用途では、蛍光ランプ本体１と発光ダイオード回路ＬＥＤとを共に点灯させたとしても、蛍光ランプ本体１の方が十分明るいため、発光ダイオード回路ＬＥＤの点灯による色ムラなどの影響を受けることはない。
【０１４３】
さらに、この回路構成では、第１実施形態のようなＬＥＤ点灯回路は不要なので、製品コストを削減できる。
【０１４４】
次に、図５を参照して第３実施形態の点灯回路３０を備える電球形蛍光ランプ装置について説明する。
図５に示すように、この第３実施形態は、第１実施形態の点灯回路２の発光ダイオード回路ＬＥＤの電源の取り方を変えた例である。なお発光ダイオード回路ＬＥＤの部分以外の回路構成は、第１実施形態と同様でありその説明は省略する。発光ダイオード回路ＬＥＤは、抵抗器Ｒ５３と発光ダイオードＤ５３とを直列に接続したものである。
【０１４５】
すなわち、この点灯回路３０は、ノイズフィルタＮＦの出力端と平滑コンデンサＣ２の一端との間にフューズＦＵ３を接続すると共に、フューズＦＵ３とノイズフィルタＮＦの出力端との間、つまりフューズＦＵ３の前段に、発光ダイオード回路ＬＥＤの電源をとるための接続点を設け、この接続点に発光ダイオード回路ＬＥＤの抵抗器Ｒ５３の一端を接続している。発光ダイオード回路ＬＥＤの発光ダイオードＤ５３の一端は、接地している。つまり、平滑コンデンサＣ２と並列に発光ダイオード回路ＬＥＤを接続している。
【０１４６】
（第３実施形態）
この第３実施形態では、第１実施形態と同様に、平滑コンデンサＣ２の効果で発光ダイオード回路ＬＥＤへは平滑された直流電流が流れることになり、ちらつきなどのない、高品質のあかりを提供できる。
【０１４７】
この第３実施形態の点灯回路３０の場合、第２実施形態と同様に、壁スイッチＳＷのオン操作で、低周波交流電源ＡＳより電源が供給されると、発光ダイオード回路ＬＥＤは、インバータＩＮＶの動作や蛍光ランプ本体１の点灯状況に関係なく常時点灯する。
【０１４８】
装置本体内に、蛍光ランプ本体１と発光ダイオード回路ＬＥＤとを内蔵する電球形蛍光ランプ装置では、蛍光ランプ本体１の寿命が先に到来し、フューズＦＵ３が切れることになるが、この第３実施形態の点灯回路３０のように回路を構成することで、フューズＦＵ３が切れた場合でも、壁スイッチＳＷに連動して発光ダイオード回路ＬＥＤは点消灯動作を維持するので、蛍光ランプ本体１が点灯しない場合でも、この電球形蛍光ランプ装置を常夜灯として利用を継続できる。
【０１４９】
また、通常の用途では、蛍光ランプ本体１と発光ダイオード回路ＬＥＤとを共に点灯させたとしても、蛍光ランプ本体１の方が十分明るいため、発光ダイオード回路ＬＥＤの点灯による色ムラなどの影響を受けることはない。
【０１５０】
さらに、この回路構成では、第１実施形態のようなＬＥＤ点灯回路ＬＬＣや第２実施形態のようなブリッジ形全波整流回路ＦＢＲ２は不要なので、製品コストを削減できる。
【０１５１】
（第４実施形態）
次に、図６を参照して第４実施形態の点灯回路４０を備える電球形蛍光ランプ装置について説明する。
図６に示すように、この第４実施形態は、第３実施形態の点灯回路３０の発光ダイオード回路ＬＥＤの点灯のさせ方を変えた例である。なお発光ダイオード回路ＬＥＤとＬＥＤ点灯回路ＬＬＣの部分以外の回路構成は、第１実施形態と同様でありその説明は省略する。
【０１５２】
発光ダイオード回路ＬＥＤは、抵抗器Ｒ５３と発光ダイオードＤ５３とを直列に接続したものである。ＬＥＤ点灯回路ＬＬＣは、ドレインが発光ダイオード回路ＬＥＤの発光ダイオードＤ５３に接続されたスイッチング素子Ｑ５０と、このスイッチング素子Ｑ５０のゲートに接続された抵抗器５０とを備えるものである。
【０１５３】
すなわち、この点灯回路４０は、抵抗器Ｒ４の一端と第１のスイッチング素子Ｑ１のドレイン間にフューズＦＵ４を接続すると共に、フューズＦＵ４と抵抗器Ｒ４との間に抵抗器Ｒ５２の一端を接続する。
【０１５４】
抵抗器Ｒ５２の他端は、ＬＥＤ点灯回路ＬＬＣの抵抗器５０に接続されている。抵抗器Ｒ５２の他端にはダイオードＤ５２のアノードが接続されている。ダイオードＤ５２のカソードは、ドライブ保護回路ＤＰの抵抗器Ｒ３に接続されている。コンデンサＣ５２は、一端は接地され、他端はダイオードＤ５２のアノードに接続されている。
【０１５５】
つまりフューズＦＵ４の前段に、発光ダイオード回路ＬＥＤの電源をとるための接続点を設け、この接続点に発光ダイオード回路ＬＥＤの抵抗器Ｒ５３の一端を接続している。また、発光ダイオード回路ＬＥＤは、平滑コンデンサＣ２と並列に接続されている。
【０１５６】
この第４実施形態では、第３実施形態と同様に、平滑コンデンサＣ２の効果で発光ダイオード回路ＬＥＤへは平滑された直流電流が流れることになり、ちらつきなどのない、高品質のあかりを提供できる。
【０１５７】
また、この場合、壁スイッチＳＷのオン操作で、低周波交流電源ＡＳより電源が供給されると、インバータＩＮＶが動作して蛍光ランプ本体１が点灯する。
【０１５８】
蛍光ランプ本体１が点灯時には、第１および第２のスイッチング素子Ｑ１，Ｑ２はスイッチング動作し、ダイオードＤ５２を通じて第２のスイッチング素子Ｑ２により放電されるため、コンデンサＣ５２の電圧はＬＯＷとなる。
【０１５９】
コンデンサＣ５２の電圧がＬＯＷの場合、抵抗器Ｒ５０からＬＥＤ点灯回路ＬＬＣのスイッチング素子Ｑ５０のゲートには、スイッチング素子Ｑ５０がオンするだけの信号が印加されないため、スイッチング素子Ｑ５０はオフしている。このため、発光ダイオード回路ＬＥＤは点灯しない。つまり発光ダイオード回路ＬＥＤは消灯状態となる。
【０１６０】
一方、ユーザが壁スイッチＳＷをオフしないにもかかわらず、蛍光ランプ本体１が消灯し、フューズＦＵ４が切れ、インバータＩＮＶが停止すると、抵抗器Ｒ５２を通じてコンデンサＣ５２が充電され、コンデンサＣ５２の電圧が上昇し、ＬＥＤ点灯回路ＬＬＣの抵抗器Ｒ５０を通じてスイッチング素子Ｑ５０をオンさせるだけの電圧（オン信号）が印加されると、スイッチング素子Ｑ５０がオンし、発光ダイオード回路ＬＥＤが点灯するようになる。
【０１６１】
この第４実施形態の点灯回路４０のように回路を構成することで、通常は、蛍光ランプ本体１が点灯し、発光ダイオード回路ＬＥＤが消灯する。そして、壁スイッチＳＷのオン・オフ操作や、寿命などで蛍光ランプ本体１が消灯したり、フューズＦＵ４が切れた場合でも、壁スイッチＳＷに連動して発光ダイオード回路ＬＥＤが点消灯動作を維持するようになるので、蛍光ランプ本体１が点灯しない場合でも、この電球形蛍光ランプ装置を常夜灯として利用を継続できる。
【０１６２】
（第５実施形態）
次に、図７を参照して第５実施形態の点灯回路５０を備える電球形蛍光ランプ装置について説明する。この第５実施形態は、上記第１実施形態〜第４実施形態で示した第１および第２のスイッチング素子Ｑ１、Ｑ２に代わり、バイポーラ形トランジスタを用いたスイッチング素子Ｑ１０１、Ｑ１０２を適用した回路構成とした例である。
【０１６３】
図７に示すように、点灯回路５０は、商用の低周波交流電源が壁スイッチを通じて供給されるポートＰｏｒｔＶ１、ＰｏｒｔＶ２、過電流遮断器としてのフューズＦＵ１、コンデンサＣ１とコイルＬ１から構成されるノイズフィルタＮＦ、整流平滑回路ＲＳ、インバータＩＮＶ、発光ダイオード回路ＬＥＤ、調光制御回路ＤＣＣ、放電回路ＤＩＳ、スイッチオフ検出回路ＳＣ、起動回路ＳＴ、インバータ発振停止回路ＩＯＳＣ、蛍光ランプ本体１（図ではＬａｍｐと記載）、ソフトスタート回路ＳＳなどを有している。
【０１６４】
すなわち、この点灯回路５０は、主光源としての蛍光ランプを点灯させるインバータ回路と、補助光源としての発光ダイオード回路ＬＥＤ（発光ダイオードＬＤ１，ＬＤ２，ＬＤ３）を点灯させる回路と、ユーザの好みのままに蛍光ランプ本体１および発光ダイオードＬＤ１，ＬＤ２，ＬＤ３のうちのいずれか一方を点灯させるように壁スイッチなどがオン・オフされ、そのオン・オフ操作により入力電圧が変化した場合に、その変化に応じて各光源を点消灯制御する調光制御回路ＤＣＣ（制御回路）とを有している。なお、点灯回路５０は、必要に応じて他の構成を付加したり、または省いたりすることが許容される。
上記発光ダイオードＬＤ１，ＬＤ２，ＬＤ３は、蛍光ランプ本体１に対して補助的な光源として機能する。
補助光源としては、上記発光ダイオードＬＤ１，ＬＤ２，ＬＤ３の他に、例えば有機ＥＬなどを用いることができる。
【０１６５】
ノイズフィルタＮＦは、整流平滑回路ＲＳの直流出力側において線路に直列に挿入されたインダクタＬ１および同じく入力側において線路間に並列的に接続されたコンデンサＣ１を備える。
【０１６６】
ノイズフィルタＮＦは、インバータＩＮＶのスイッチングによって発生する高周波ノイズを低周波交流電源側に流出させないように除去する回路である。ここで「高周波」とは、周波数１０ＫＨｚ以上を意味し、好ましくは周波数２０ＫＨｚ〜３０ＭＨｚである。
【０１６７】
蛍光ランプ本体１は、一対のフィラメント電極１ｂにはそれぞれ端子Ｋ３，Ｋ４、Ｋ５，Ｋ６が設けられている。端子Ｋ３、Ｋ５には共振コンデンサＣ５が並列に接続されている。他方の一対の端子Ｋ４、Ｋ６には、ソフトスタート回路ＳＳが接続されている。
【０１６８】
ソフトスタート回路ＳＳは、例えば温度可変抵抗素子ＰＴＣを利用した回路であり、電流が温度可変抵抗素子ＰＴＣに流れることで、温度可変抵抗素子ＰＴＣが自己発熱しインピーダンスを変化させて蛍光ランプ本体１を徐々に加熱する。
【０１６９】
低周波交流電源は、この例の場合、商用１００Ｖ交流電源、つまり家庭用のＡＣ電源である。ポートＰｏｒｔＶ１は、フューズＦＵ１を介して全波整流回路ＦＢＲ１の入力端に接続されている。ポートＰｏｒｔＶ２は、全波整流回路ＦＢＲ１の他の入力端に接続されている。ポートＰｏｒｔＶ１、ＰｏｒｔＶ２は、低周波交流電源が供給されるソケット（図示せず）に取り付けられる口金４および点灯回路５０の電源入力端がこれに相当する。
【０１７０】
外部スイッチとしての壁スイッチは、スイッチオフのときに発光するネオン管等の発光素子が抵抗成分として直列に接続されたもの（通称：ＯＦＦピカスイッチ）と、抵抗などが無挿入のものとがあり、本回路は、両方のスイッチを入力側の負荷として利用できる。
【０１７１】
整流平滑回路ＲＳは、全波整流回路ＦＢＲ１および平滑コンデンサＣ２からなる。平滑コンデンサＣ２には、電解コンデンサが用いられている。つまり整流平滑回路ＲＳは、低周波交流を平滑化された直流に変換する手段であり、直流出力端に平滑化直流を出力するものである。つまり整流平滑回路ＲＳは、インバータＩＮＶの電源、つまり直流電源である。
【０１７２】
なお、この例では、全波整流回路ＦＢＲ１は、整流機能を実現する手段であり、これ以外に任意所望により各種の整流回路を採用することができる。整流機能を実現する手段としては、全波整流回路ＦＢＲ１の他、例えば倍電圧形全波整流回路、センタータップ形全波整流回路、半波整流回路などを用いることができる。
【０１７３】
平滑コンデンサＣ２は、平滑化機能を実現する手段であり、脈流を含んだ不完全な平滑化を許容する。平滑化機能については、種々の平滑回路を任意所望に採用することができる。しかし、電球形蛍光ランプの白熱電球との代替性を高めるためおよび高調波含有率を公的な規格値内に収めるためには、平滑化機能の回路素子として用いる電解コンデンサの静電容量をなるべく小さく抑えて、電解コンデンサを小形化することが肝要である。
【０１７４】
インバータＩＮＶは、ハーフブリッジ形インバータであり、第１および第２のスイッチング素子Ｑ１０１、Ｑ１０２を主体とし、コンデンサＣ１０４，抵抗器Ｒ１０２，Ｒ１０３，Ｒ１０４、Ｒ１０５，Ｒ１０６、駆動トランスＣＴ、起動回路ＳＴなどを含む回路によって構成されている。抵抗Ｒ１０４，Ｒ１０６は、通称：エミッタ抵抗と呼ばれる負帰還抵抗である。このインバータＩＮＶは、交互にスイッチング動作を行う２つのスイッチング素子Ｑ１０１，Ｑ１０２からなる直列回路を直流電源に接続して構成される。
【０１７５】
抵抗器Ｒ１０３，Ｒ１０４、Ｒ１０５，Ｒ１０６には、チップ抵抗が用いられている。チップ抵抗の大きさは、２ｍｍ×１．２５ｍｍ（通称：２０１２と呼ばれる）ＥＩＡ規格０８０５サイズである。
【０１７６】
このように第１のスイッチング素子Ｑ１０１および第２のスイッチング素子１０Ｑ２周辺の抵抗素子をチップ抵抗とすることで、例えば放電ランプの寿命末期時を含む異常時などに、スイッチング素子Ｑ１０１，Ｑ１０２に過電流が継続して流れた場合に、チップ抵抗が開放破壊を起こし、ランプの点灯を停止させる。つまり、チップ抵抗がヒューズの役目を果たし、過電流による過発熱などの異常動作を防止できる。
【０１７７】
なお、チップ抵抗は、過電流破壊によって開放モードになる素子なので、チップコンデンサやダイオードに比べて寿命末期時にインバータＩＮＶの発振を停止させるための素子として好適である。
【０１７８】
第１のスイッチング素子Ｑ１０１および第２のスイッチング素子Ｑ１０２は、バイポーラ形トランジスタである。この第１のスイッチング素子Ｑ１０１のコレクタは、整流平滑回路ＲＳの直流出力端の正極に接続されている。
【０１７９】
第１のスイッチング素子Ｑ１０１のエミッタは、抵抗器Ｒ１０４を介してダイオードＤ１０１のカソードに接続されている。コンデンサＣ１０４および抵抗器Ｒ１０２は、整流平滑回路ＲＳの直流出力端の正極とダイオードＤ１０１のカソードに、並列に接続されている。コンデンサＣ１０４は、スイッチング改善用のスナバ素子であり、電流の流れをＯＮ／ＯＦＦする第１のスイッチング素子Ｑ１０１にて切り替わりの過渡状態で発生する高いスパイク電圧を防止する。
【０１８０】
第２のスイッチング素子Ｑ１０２のコレクタは、ダイオードＤ１０１のカソードに接続されている。第２のスイッチング素子Ｑ１０２のエミッタは、抵抗器Ｒ１０６を介して整流平滑回路ＲＳの直流出力端の負極に接続されている。
これにより、第１のスイッチング素子Ｑ１０１および第２のスイッチング素子Ｑ１０２の直列回路の両端間、すなわちインバータＩＮＶの入力端に整流平滑回路ＲＳから出力される平滑化直流電圧が印加される。
【０１８１】
インバータＩＮＶを起動する起動回路ＳＴは、抵抗器Ｒ１０１，Ｒ１２１、ダイオードＤ１０１、起動用のコンデンサＣ１０３、トリガ素子であるトリガダイオードＤＢ３などからなる。抵抗器Ｒ１２１とコンデンサＣ１０３は、時定数回路である。
【０１８２】
つまり、起動回路ＳＴは、インバータＩＮＶの起動用として、抵抗器Ｒ１２１とコンデンサＣ１０３を含む時定数回路と、コンデンサＣ１０３の電圧値によってブレークオーバーするトリガダイオードＤＢ３とを有する回路である。
抵抗器Ｒ１０１は、ダイオードＤ１０１のアノードとカソード間に接続されている。
起動用のコンデンサＣ３は、ダイオードＤ１のアノードと整流平滑回路ＲＳの直流出力端の負極に接続されている。
【０１８３】
ダイオードＤ１０１は、コンデンサＣ１０３に蓄えられた電荷を、第２のスイッチング素子Ｑ１０２がオンしたときに第２のスイッチング素子Ｑ１０２のコレクタ・エミッタを通じて放電、つまり抜くためのものである。
【０１８４】
トリガダイオードＤＢ３は、商用１００Ｖの交流電源からの電圧供給によって、インバータＩＮＶを起動させるときに、起動用のコンデンサＣ１０３の電圧が上昇し、ブレークオーバー電圧を超えると、通電状態になり、第２のスイッチング素子Ｑ１０２のベースに起動パルスを与え、インバータＩＮＶの発振を開始させる。
【０１８５】
抵抗器Ｒ１０３は、第１のスイッチング素子Ｑ１０１のベースと駆動トランスＣＴに接続されている。抵抗器Ｒ１０５は、第２のスイッチング素子Ｑ１０２のベースと駆動トランスＣＴに接続されている。
【０１８６】
すなわち、インバータＩＮＶは、直流を交流に変換する手段であり、各種回路方式のインバータを用いることができる。その中でも、コストが低くて小形化しやすいハーフブリッジ形インバータが好適である。
【０１８７】
第１のスイッチング素子Ｑ１０１および第２のスイッチング素子Ｑ１０２と整流平滑回路ＲＳとの間に他の回路部品、例えばインダクタや抵抗器などを介在させていてもよい。また第１のスイッチング素子Ｑ１０１と第２のスイッチング素子Ｑ１０２との間に回路部品を介在させてもよい。
【０１８８】
コンデンサＣ１０６は、整流平滑回路ＲＳの直流出力端の正極と放電ランプ本体１の端子Ｋ３に接続されている。コンデンサＣ１０６は、直流成分カット用のカップリングコンデンサ（結合コンデンサ）である。コンデンサＣ１０６は、インバータＩＮＶから直流成分が負荷回路ＬＣに流入しないようにするための手段である。コンデンサＣ１０７およびインダクタＬ３は直列共振回路である。
【０１８９】
直列共振回路は、インバータＩＮＶから出力される高周波交流により作動して蛍光ランプ本体１を安定に点灯させる回路である。また、この点灯回路２は、蛍光ランプ本体１を始動して安定に点灯させるためにソフトスタート回路ＳＳを備える。
【０１９０】
ソフトスタート回路ＳＳは、例えばインダクタＬ３と直列共振回路を形成する共振コンデンサＣ１０７と温度可変抵抗素子ＰＴＣとを蛍光ランプ本体１と並列的に接続して構成する。温度可変抵抗素子ＰＴＣは、蛍光ランプ本体１の一対のフィラメント電極１ｂを所要温度に加熱するための付加回路である。
【０１９１】
インバータ発振停止回路ＩＯＳＣは、スイッチング素子Ｑ１０３とコンデンサＣ１０８からなる。スイッチング素子Ｑ１０３は、ＭＯＳＦＥＴを利用している。スイッチング素子Ｑ１０３がオフ状態のときにインバータＩＮＶが発振する。スイッチング素子Ｑ１０３がオン状態になると、第２のスイッチング素子Ｑ１０２のべースが短絡するためインバータＩＮＶは発振しない。
【０１９２】
調光制御回路ＤＣＣは、スイッチオフ検出回路ＳＣ、発光ダイオード回路ＬＥＤ、ＬＥＤ点灯回路ＬＬＣ、ラッチ回路ＬＴＣなどを有している。調光制御回路ＤＣＣは、外部のスイッチのオン・オフ操作の時間（タイミング）に応じて蛍光ランプ本体１または発光ダイオード回路ＬＥＤのうちのいずれか一方を点灯させるようにインバータＩＮＶおよびＬＥＤ点灯回路ＬＬＣを制御する。外部のスイッチとしては、壁スイッチの他、リモコンなども含まれる。
【０１９３】
複数の電圧保持回路ＶＨ１、ＶＨ２は、壁スイッチのオン・オフ操作による調光指令信号を識別するために、例えばコンデンサの放電時定数が異なる時定数回路を主体とする回路である。スイッチオフ検出回路ＳＣは、スイッチング素子Ｑ１０５とツェナーダイオードＺＤ６と抵抗器Ｒ１１５を有している。スイッチング素子Ｑ１０５には、例えばＰＮＰ接合のトランジスタが利用されている。
【０１９４】
スイッチオフ検出回路ＳＣは、壁スイッチとして、通称「ＯＦＦピカスイッチ」などと呼ばれる、ネオン管などの発光素子が抵抗成分としてスイッチ回路に対して並列接続されたスイッチが入力側の負荷として接続された場合の誤動作を防止するための回路である。
【０１９５】
抵抗成分入りの壁スイッチがＯＦＦされた場合、壁スイッチの抵抗成分を介して電流が流れ続けるために、回路電位はゼロにはならない。このため、回路電位がツェナーダイオードＺＤ６のクランプ電圧（例えば１６Ｖなど）以下になった場合にスイッチング素子Ｑ５をオフしてスイッチング素子Ｑ１０５のエミッタ・コレクタ間の通電を遮断することで、ラッチ回路ＬＴＣの電圧保持状態が強制的に解除される。なお、コンデンサＣ１１１は、スイッチオフ検出回路ＳＣのノイズフィルタとして作用するものである。
【０１９６】
抵抗器Ｒ１１１，Ｒ１１２，Ｒ１１３から供給される電圧を抵抗器Ｒ１１４にて分流し、第１の電圧保持回路ＶＨ１、第２の電圧保持回路ＶＨ２およびラッチ回路ＬＴＣに供給する。
【０１９７】
電圧保持回路ＶＨは、抵抗器Ｒ１１７とこれに並列接続されたコンデンサＣ１１２およびコンデンサＣ１１３とダイオードＤ１０４とからなる。
【０１９８】
コンデンサＣ１１２とコンデンサＣ１１３は、体積を小型化するためにセラミックチップコンデンサを２つ用いているが、取り付けスペースが確保できれば一つでも良い。コンデンサＣ１２とコンデンサＣ１１３は、同じ定数のものが利用されている。ダイオードＤ４のアノードは、スイッチング素子Ｑ１０５のコレクタに接続され、ダイオードＤ１０４のカソードは、コンデンサＣ１２およびコンデンサＣ１１３の接点に接続されている。なお、コンデンサＣ１１２とコンデンサＣ１１３は、電解コンデンサであっても良い。
【０１９９】
ラッチ回路ＬＴＣは、ＰＵＴ１、コンデンサＣ１１４、抵抗器Ｒ１１６、Ｒ１１８、Ｒ１１９から構成されている。ＰＵＴ１は、抵抗器Ｒ１１８と直列回路を構成し、電解コンデンサＣ１１５に並列に接続されている。
【０２００】
抵抗器Ｒ１１６は、ダイオードＤ４のアノードとＰＵＴ１のゲートとに接続されている。抵抗器Ｒ１１９は、ＰＵＴ１のカソードとスイッチング素子Ｑ１０３のゲートに接続されている。
【０２０１】
放電回路ＤＩＣは、抵抗器Ｒ１２０とダイオードＤ１０６との直列回路により構成されている。抵抗器Ｒ１２０の他の一端は、コンデンサＣ１０３とトリガダイオードＤＢ３の接点に接続されている。ダイオードＤ１０６のカソードは、スイッチング素子Ｑ１０４のソースに接続されている。
【０２０２】
放電回路ＤＩＣは、調光制御回路ＤＣＣによりＬＥＤ点灯回路ＬＬＣおよびインバータＩＮＶが制御されて蛍光ランプ本体１が消灯し発光ダイオード回路ＬＥＤの各ＬＤ１，ＬＤ２，ＬＤ３が点灯したときに、コンデンサＣ１０３に電荷が蓄積されないようにスイッチング素子Ｑ４を介して整流平滑回路ＲＳに負極へ通電する回路である。
【０２０３】
発光ダイオード回路ＬＥＤは、直列に接続された限流用の抵抗器Ｒ１０７，Ｒ１０８，Ｒ１０９と、これら抵抗器Ｒ１０７，Ｒ１０８，Ｒ１０９と直列に接続された発光ダイオードＬＤ１，ＬＤ２，ＬＤ３、ダイオードＤ１０２を有している。抵抗器Ｒ１０７，Ｒ１０８，Ｒ１０９は、定数設定のためと発熱を分散させるため複数個としたが、一つでもさらに多くても良い。このように用いる抵抗を限流用抵抗５０という。
【０２０４】
限流用抵抗５０の一端は、整流平滑回路ＲＳの直流出力端の正極に接続されており、他端は、発光ダイオードＬＤ１のアノードに接続されている。ダイオードＤ１０２のカソードは、発光ダイオードＬＤ１のアノードに接続されている。ダイオードＤ１０２のアノードは、発光ダイオードＬＤ３のカソードに接続されている。
【０２０５】
ＬＥＤ点灯回路ＬＬＣは、発光ダイオード回路ＬＥＤの点消灯を制御する回路であり、ＬＥＤ点消灯の機能とコンデンサＣ１０３の電荷放電機能とを兼用するスイッチング素子Ｑ１０４と抵抗器Ｒ１１３とコンデンサＣ１０９とを備える。
【０２０６】
抵抗器Ｒ１１３の一端は、抵抗器Ｒ１１８とＰＵＴ１との間に接続されている。また、抵抗器Ｒ１１３の他端は、スイッチング素子Ｑ４のゲートに接続されている。コンデンサＣ１０９は、スイッチング素子Ｑ１０４のゲートと整流平滑回路ＲＳの直流出力端の負極に接続されている。
【０２０７】
スイッチング素子Ｑ１０４のソースには、ダイオードＬＤ３のカソードが接続されている。スイッチング素子Ｑ１０４のドレインは、整流平滑回路ＲＳの直流出力端の負極に接続されている。
つまり、スイッチング素子Ｑ１０４は、インバータＩＮＶの電源である整流平滑回路ＲＳ（直流電源）の正極と負極間に、補助光源としての発光ダイオード回路ＬＥＤ（発光ダイオードＬＤ１，ＬＤ２，ＬＤ３）を介して接続されている。
【０２０８】
ＬＥＤ点灯回路ＬＬＣは、抵抗器Ｒ１１８の両端に電圧が発生し、コンデンサＣ１１１、Ｃ１１２、Ｃ１１３が充電された後の放電によりＰＵＴ１がオンしたときに抵抗器Ｒ１１３を通してスイッチング素子Ｑ１０４のゲートに電圧を印加してスイッチング素子Ｑ１０４をオンし、スイッチング素子Ｑ１０４のソース・ドレイン間を導通させる回路である。ＬＥＤ点灯回路ＬＬＣは、スイッチング素子Ｑ１０４をオン・オフさせて発光ダイオード回路ＬＥＤ（発光ダイオードＬＤ１，ＬＤ２，ＬＤ３）を点灯および消灯させる。
【０２０９】
スイッチング素子Ｑ１０４がオンすると、整流平滑回路ＲＳから抵抗器Ｒ１０７，Ｒ１０８，Ｒ１０９を通じて発光ダイオードＬＤ１，ＬＤ２，ＬＤ３に電流が流れ、発光ダイオードＬＤ１，ＬＤ２，ＬＤ３が点灯する。このとき、インバータ発振停止回路ＩＯＳＣのスイッチング素子Ｑ１０３はオン状態なので、インバータＩＮＶは発振を停止し、蛍光ランプ本体１は消灯する。
【０２１０】
また、スイッチング素子Ｑ１０４がオンすると、コンデンサＣ１０３に電荷が蓄積されないように抵抗器Ｒ１２０を通じてスイッチング素子Ｑ１０４から整流平滑回路ＲＳの負極へ通電される。
【０２１１】
発光ダイオード回路ＬＥＤは、蛍光ランプ本体１だけの調光では不可能な明るさ、つまり蛍光ランプ本体１の点灯時の明るさの５０％以下で点灯させるよう発光ダイオードＬＤ１，ＬＤ２，ＬＤ３やその周辺の回路の定数が設定されている。この例では発光ダイオード回路ＬＥＤは、蛍光ランプ本体１の点灯時の１０％〜２０％程度の明るさ、つまりベビー球と同等の明るさで点灯させるよう回路が構成されている。
【０２１２】
具体的には、インダクタＬ１の出力端（平滑コンデンサＣ２）には全波整流された直流電圧として、例えば１４０Ｖが供給され、３つの発光ダイオードＬＤ１，ＬＤ２，ＬＤ３からなる発光ダイオード回路ＬＥＤは、発光色がアンバー色で、約１０ｍＡ〜２０ｍＡ程度の電流が流れるようにしている。蛍光ランプ本体１は、回路の消費電力を含めた消費電力が１３Ｗ程度で、電球色の場合、８１０ｌｍの全光束となるように回路設計を行っている。
【０２１３】
インバータ発振停止回路ＩＯＳＣは、調光制御回路ＤＣＣから供給されるオン信号により、コンデンサＣ１０８に電荷を溜めてスイッチング素子Ｑ１０３をオンさせることで、スイッチング素子Ｑ１０２のベース電圧を落とし、インバータＩＮＶの発振を確実に停止する。
【０２１４】
調光制御回路ＤＣＣでは、壁スイッチのオン・オフ操作による電源供給時間、または供給停止の時間に応じて、インバータ発振停止回路ＩＯＳＣおよびＬＥＤ点灯回路ＬＬＣを制御して、蛍光ランプ本体１および発光ダイオード回路ＬＥＤのうちのいずれかを点消灯せる制御を行う制御回路（手段）である。
【０２１５】
「壁スイッチのオン・オフ操作による低周波交流電源ＡＳからの電力供給または供給停止の時間に応じて」とは、壁スイッチのオン・オフ操作の組み合わせ（オン→オフ→オンなど）やオフ時間の長さ（長短など）が含まれる。
【０２１６】
オン操作およびオフ操作の組み合わせは、例えば電源供給を短い間隔で停止したり、オフ操作に引き続くオン操作での電源の再供給を行うことなどであり、それらの有無または操作回数により調光指令信号の内容が識別される。
【０２１７】
また、オフ時間の長さによる場合とは、例えば３秒を超える長いオフ時間と３秒以内（１〜２秒程度）の短いオフ時間とで異なる内容として調光制御回路ＤＣＣで識別される。
【０２１８】
調光制御回路ＤＣＣでは、電源投入後、抵抗器Ｒ１１０，Ｒ１１１，Ｒ１１２を通じてコンデンサＣ１１０が充電されると共に、スイッチング素子Ｑ１０５を通じてコンデンサＣ１１１が充電される。また、電源投入後、スイッチング素子Ｑ１０５およびダイオードＤ１０４を通じてコンデンサＣ１１２，Ｃ１１３が充電される。
【０２１９】
充電時には、コンデンサＣ１１１の電圧（点Ｔの電位）とコンデンサＣ１１２，Ｃ１１３の合成電圧（点Ｕの電位）とで電位差が生じる。つまりダイオードＤ１０４のフォワード電圧分（約０．６Ｖ）だけコンデンサＣ１１２，Ｃ１１３の合成電圧（点Ｕの電位）の方が低くなる。
【０２２０】
ＰＵＴ１は、アノード電圧よりもゲート電圧が０．６Ｖ以上低下した場合にオンし、その後、ゲート電圧値に関わらずオンを保持する。
この回路では、ＰＵＴ１のアノード電圧は、コンデンサＣ１１２，Ｃ１１３の合成電圧（点Ｕの電位）であり、ゲート電圧は、コンデンサＣ１１１の電圧（点Ｔの電位）であるので、充電時にはＰＵＴ１は、オンしない（Ｔ＞Ｕ）。
【０２２１】
一方、壁スイッチのオフ操作によって回路電位が低下し、スイッチング素子Ｑ１０５がオフして以降の回路（ラッチ回路ＬＴＣなど）への電源供給が停止されると、コンデンサＣ１１１，Ｃ１１２，Ｃ１１３が蓄積した電荷の放電を開始する。コンデンサＣ１１１は、コンデンサＣ１１２，Ｃ１１３に比べて容量が小さく自己放電により素早く放電する。
【０２２２】
また、コンデンサＣ１１２，Ｃ１１３は、抵抗器Ｒ１１７を通してゆっくりと放電する。このとき、互いの時間差からＴ＜Ｕの状態が発生する。点Ｔの電位が点Ｕの電位よりも０．６Ｖ低くなると、ＰＵＴ１はオンする。この例では、Ｔ＜Ｕの状態が発生する時間が１秒〜３秒程度になるよう回路定数を設定している。
【０２２３】
調光制御回路ＤＣＣは、壁スイッチのオン操作により交流電源が供給された後、壁スイッチのオフ操作により交流電源の供給が停止され、一定時間（３秒）以上経過後に引き続き、抵抗器Ｒ１１０，Ｒ１１１，Ｒ１１２、ダイオードＤ１０４からＰＵＴ１のオンを維持するための保持電流の供給がない場合、ＰＵＴ１はオフ状態となり、交流電源が再供給されたとき、インバータＩＮＶを駆動して蛍光ランプ本体１を点灯させる。
【０２２４】
また、調光制御回路ＤＣＣは、壁スイッチのオフ・オン操作により交流電源の供給が停止された時間が一定時間（３秒）以下（１、２秒程度）で交流電源が再供給されたとき、蛍光ランプ本体１を消灯させると共に発光ダイオードＬＤ１、ＬＤ２，ＬＤ３を点灯させる。
【０２２５】
すなわち、この電球形蛍光ランプ装置は、放電ランプ本体１を点灯させる回路（インバータＩＮＶ）と、発光ダイオードＬＤ１、ＬＤ２，ＬＤ３を点灯させる回路（限流用の抵抗素子Ｒ１０７，Ｒ１０８，Ｒ１０９）を有する一体型光源であって、ユーザの好みの時間で壁スイッチがオン・オフ操作された場合に放電ランプ本体１または発光ダイオードＬＤ１、ＬＤ２，ＬＤ３のうちのいずれか一方が点灯するように回路を切り替えるものであり、発光ダイオードＬＤ１、ＬＤ２，ＬＤ３を点灯させる回路部品の一つである限流用の抵抗素子Ｒ１０７，Ｒ１０８，Ｒ１０９を、放電ランプ本体１と配線基板２ａとの間に、配線基板２ａから浮かせるようにして実装した配線基板２ａを仕切り部材６に固定している。
【０２２６】
次に、この電球形蛍光ランプ装置の動作について説明する。
（蛍光ランプ点灯動作）
ユーザが壁スイッチをオン操作してポートＰｏｒｔＶ１，Ｖ２に交流電源が供給されると、整流平滑回路ＲＳにより平滑化された直流電圧がインバータＩＮＶの入力端間に印加される。
【０２２７】
すると、整流平滑回路ＲＳにより平滑化された直流電圧は、起動回路ＳＴにも印加される。これにより、コンデンサＣ１０３が充電されてトリガダイオードＤＢ３がブレークオーバーすると、トリガパルスを第２のスイッチング素子Ｑ１０２のベース端子に供給し、第２のスイッチング素子Ｑ１０２がオンする。
【０２２８】
そして、インバータＩＮＶが起動して駆動トランスＣＴの誘起に基づく自励発振により、スイッチング素子Ｑ１０１，Ｑ１０２が交互にオン・オフ動作を行い、２次電圧が誘起される。この２次電圧がインダクタＬ３と共振コンデンサＣ１０７との直列共振により高められて蛍光ランプ本体１に印加される。また、ソフトスタート回路ＳＳにより、フィラメント電極１ｂが適正に予熱された後に、蛍光ランプ本体１が始動し、ユーザがこのまま壁スイッチを何も操作しない場合は、蛍光ランプ本体１が点灯する。
【０２２９】
（発光ダイオードＬＤ１，ＬＤ２，ＬＤ３の点灯動作）
点灯回路２へ電源が供給されると、始動中の蛍光ランプ本体１は通常どおり点灯し、発光ダイオード回路ＬＥＤは消灯したままになる。
一方、電源供給後、ユーザが壁スイッチをオフ操作→オン操作を１秒〜２秒の間にすばやく行うことで、上記調光制御回路ＤＣＣの動作により、始動中の蛍光ランプ本体１の点灯を停止させて、発光ダイオード回路ＬＥＤを点灯させて暗い明かりの状態へ調光することができる。
【０２３０】
以下、このときの回路動作について説明する。
ユーザが壁スイッチを始めてオン操作することで低周波交流電源から電源が供給されると、上述したようにインバータＩＮＶが起動するのと同時に調光制御回路ＤＣＣにも平滑化された直流電圧が印加される。
【０２３１】
この結果、第１の電圧保持回路ＶＨ１を構成するコンデンサＣ１１１および第２の電圧保持回路ＶＨ２のコンデンサＣ１１２，Ｃ１１３が同時に充電される。
【０２３２】
しかし、第１の電圧保持回路ＶＨ１による保持電圧の方が、第２の電圧保持回路ＶＨ２による保持電圧よりダイオードＤ１０４における電圧降下の分の０．６Ｖだけ高くなっている。
【０２３３】
このため、ラッチ回路ＬＴＣでは、そのＰＵＴ１の制御端子に抵抗器Ｒ１１６を介して印加される電圧がアノードの電位より０．６Ｖ高く、ＰＵＴ１がオフしたままでいる。
【０２３４】
この結果、抵抗器Ｒ１１９を通じてオン信号は供給されず、インバータ発振停止回路ＩＯＳＣ内のスイッチング素子Ｑ１０３はオフのまま、インバータＩＮＶが発振し、蛍光ランプ本体１を点灯させるために始動する。
【０２３５】
始動後、ユーザが壁スイッチをオフ操作し、交流電源からの電源供給が停止すると、第１および第２の電圧保持回路ＶＨ１、ＶＨ２は、共に放電を開始する。このとき、第１の電圧保持回路ＶＨ１は、急速に放電する。これに対して、第２の電圧保持回路ＶＨ２は、抵抗器Ｒ１７の抵抗値が大きいため、ゆっくりと放電する。
【０２３６】
このため、ラッチ回路ＬＴＣにおけるＰＵＴ１の制御端子（ゲート）の電位は、ＰＵＴ１のアノードの電位より低くなる。互いの電位差が０．６Ｖを超えると、ＰＵＴ１がオンする。
【０２３７】
なお、ＰＵＴ１を確実にオンさせるためには、比較的、順方向電圧降下の大きいツェナーダイオードを用いてもよい。
【０２３８】
回路定数の設定により、放電時にコンデンサＣ１１の電圧（点Ｔの電位）がコンデンサＣ１１２，Ｃ１１３の合成電圧（点Ｕの電位）以上低くなる時間を１秒〜３秒程度、好ましくは１．５秒〜２．５秒程度に設定しておく。
【０２３９】
なお、そのまま壁スイッチがオン操作されずにコンデンサＣ１１２，Ｃ１１３の放電が進むと、コンデンサＣ１１２，Ｃ１１３の合成電圧（点Ｕの電位）は、０Ｖとなり（Ｔ＝Ｕ）、また平滑コンデンサＣ２の電荷は、コンデンサＣ１１２，Ｃ１１３よりも速く放電されるので、抵抗器Ｒ１１０，Ｒ１１１，Ｒ１１２、ダイオードＤ１０４を介するＰＵＴ１の保持電流も供給できなくなり、ＰＵＴ１はオフする。
【０２４０】
その後、壁スイッチをオン操作すると、ＰＵＴ１がオフのため、スイッチング素子Ｑ１０３，Ｑ１０４もオフ状態であることから、起動回路ＳＴが動作してインバータＩＮＶが発振し、蛍光ランプ本体１が点灯する。
【０２４１】
一方、壁スイッチＳＷがオフ操作されてから３秒以内に壁スイッチが再度オン操作されて交流電源が供給されると、オン状態を保持したままのＰＵＴ１に抵抗器１１０，Ｒ１１１，Ｒ１１２を介してコンデンサＣ１１１，Ｃ１１２が充電されるが、一度オンしたＰＵＴ１には、平滑コンデンサＣ２から抵抗器Ｒ１１０，Ｒ１１１，Ｒ１１２、ダイオードＤ１０４を介した保持電流が供給されるので、オン状態が解除されない。
【０２４２】
ＰＵＴ１のオンが維持されることにより、抵抗器Ｒ１１８の両端に電圧が発生する。この電圧は、スイッチング素子Ｑ１０３をオンさせるためのオン信号となる。
【０２４３】
これにより、インバータ発振停止回路ＩＯＳＣのスイッチング素子Ｑ１０３のゲートへオン信号が供給されて、スイッチング素子Ｑ１０３をオンする。ラッチ回路ＬＴＣは、ＰＵＴ１のオン状態にラッチするので、インバータ発振停止回路ＩＯＳＣのスイッチング素子Ｑ１０３もオン状態に維持される。
【０２４４】
インバータ発振停止回路ＩＯＳＣは、スイッチング素子Ｑ１０３のオンにより、スイッチング素子Ｑ１０３のソース・ドレイン間が導通し、第２のスイッチング素子Ｑ１０２のベース電圧がＬＯＷに落ちる。これにより、インバータＩＮＶは、発振が維持できなくなり発振停止し、始動中だった蛍光ランプ本体１は消灯する。
【０２４５】
インバータ発振停止回路ＩＯＳＣの回路動作をさらに詳述すれば、ラッチ回路ＬＴＣのＰＵＴ１がオンすると、抵抗器Ｒ１１８に電圧降下が生じ、抵抗器Ｒ１１９を経由してコンデンサＣ１０８を充電するので、スイッチング素子Ｑ１０３は、そのゲート電位がソース電位に対して正のスレッシュホールド電圧より高くなった段階でオンする。
【０２４６】
すると、スイッチング素子Ｑ１０３のソース・ドレイン間が導通し、第２のスイッチング素子Ｑ１０２のベース電圧がＬＯＷに落ち、インバータＩＮＶは発振しない。
【０２４７】
一方、ＰＵＴ１のオンで抵抗器Ｒ１１８の両端に電圧が発生すると、その電圧が抵抗器Ｒ１１３を通じてスイッチング素子Ｑ１０４のゲートに供給されてスイッチング素子Ｑ１０４をオンさせ、ソース・ドレイン間が導通する。
【０２４８】
すると、全波整流回路（平滑コンデンサＣ２の一端）から抵抗器Ｒ１０７，Ｒ１０８，Ｒ１０９を通じて発光ダイオード回路ＬＥＤに電流が流れ、発光ダイオードＬＤ１，ＬＤ２，ＬＤ３が点灯する。
【０２４９】
また、スイッチング素子Ｑ１０４をオンすると、起動回路ＳＴの起動用のコンデンサＣ１０３に電荷が蓄積されないように、抵抗器Ｒ１２０、ダイオードＤ１０６およびスイッチング素子Ｑ１０４を通じた経路で通電される。
【０２５０】
これにより、トリガダイオードＤＢ３がトリガ動作しなくなり、スイッチング素子Ｑ２のベースへ起動のためのトリガが与えられなくなり、インバータＩＮＶが不所望に動作して蛍光ランプが微放電したり、蛍光ランプ本体１のフィラメント電極１ｂを劣化させる等の不具合の発生が確実に防止される。
【０２５１】
このようにこの第５実施形態の電球形蛍光ランプ装置によれば、バイポーラ形トランジスタを用いたインバータＩＮＶを構成する上で、点灯回路５０に放電回路ＤＩＣを設けたことで、蛍光ランプ本体１を消灯させつつ発光ダイオードＬＤ１，ＬＤ２，ＬＤ３を点灯させたときに、インバータ起動用のコンデンサＣ１０３に電荷が蓄積されないようにスイッチング素子Ｑ４を介して整流平滑回路ＲＳの負極へ通電するので、トリガダイオードＤＢ３による不要なトリガパルスの発生をなくすることができる。この結果、インバータＩＮＶとＬＥＤ点灯回路ＬＬＣとを含む回路の動作を安定させ、回路動作を確実なものとすることができる。
【０２５２】
（第６実施形態）
次に、図８乃至図１１を参照して第６実施形態の点灯回路６０を備える電球形蛍光ランプ装置について説明する。
この第６実施形態は、家屋の壁に、壁スイッチＳＷの代わりに取り付けた位相制御調光器ＤＭに、電球形蛍光ランプ装置を対応させた例である。具体的には、この第６実施形態では、第１実施形態（図３）で示した点灯回路２の電圧比較回路ＶＣへの電源の供給の仕方を変えている。なお、電源の供給の仕方以外の回路構成は、第１実施形態と同様でありその説明は省略する。
【０２５３】
すなわち、図８に示すように、点灯回路６０のフューズＦＵ１とブリッジ形全波整流回路ＦＢＲ１の入力端との間には、電圧比較回路ＶＣの抵抗器Ｒ４の一端が接続されている。
また、家屋に引き込まれた商用電源である低周波電源ＡＳには、位相制御調光器ＤＭを介して電球用のソケット（図示せず）が接続されている。位相制御調光器ＤＭは、部屋の壁などに設置されるものであり、壁スイッチＳＷと交換して設置される。
【０２５４】
この点灯回路６０を搭載した電球形蛍光ランプ装置の口金４を上記ソケットに取り付けることで、位相制御調光器ＤＭと点灯回路６０の入力端ＩＮｂが接続される。
ソケットには、外部の位相制御調光器ＤＭの調光ボリュームの操作に応じて、オフ期間が可変する位相制御された交流電源（以下「位相制御電圧」と称す。）が位相制御調光器ＤＭから供給される。位相制御調光器ＤＭには、調光ボリュームの最小位置（ＭＩＮ）よりもさらにボリュームを絞った位置にｏｆｆ接点があり、このｏｆｆ接点の位置では位相制御電圧の供給が停止される。
【０２５５】
位相制御調光器ＤＭは、図９に示すように、端子ｐ１、ｐ２、トライアックＴＲＩＡＣ、操作回路ＯＣおよびコンデンサＣ２１を備えている。端子ｐ１は、電源ＡＳ側に接続されている。端子ｐ２は、電球用のソケットにそれぞれ接続されている。
【０２５６】
また、端子ｐ１、ｐ２間には、位相制御素子の一つであるトライアックＴＲＩＡＣおよびコンデンサＣ２１が並列接続されている。トライアックＴＲＩＡＣは、サイリスタなどの無接点スイッチ素子である。コンデンサＣ２１は、トライアックＴＲＩＡＣのスイッチングに伴って発生するノイズを吸収するためのものである。
【０２５７】
操作回路ＯＣは、トライアックＴＲＩＡＣの制御端子に所望位相の導通信号を供給する回路であり、移相回路ＰＳＣおよびダイアックＤＩＡＣを備えている。つまり操作回路ＯＣは、トライアックＴＲＩＡＣのオン位相を制御する回路である。ダイアックは、トリガー素子である。
【０２５８】
移相回路ＰＳＣは、可変抵抗器Ｒ２１およびコンデンサＣ２２の直列回路からなる。可変抵抗器Ｒ２１は、利用者によって操作される回動式または摺動式のボリュームであり、回動操作または摺動操作により抵抗値が可変する。
【０２５９】
移相回路ＰＳＣは、トライアックＴＲＩＡＣに並列接続されている。ダイアックＤＩＡＣは、移相回路ＰＳＣの移相出力端子２４とトライアックＴＲＩＡＣのトリガー端子２５との間に接続されている。
【０２６０】
フューズＦＵ１は、例えば点灯回路６０の配線基板２ａに一体に形成されたパターンヒューズなどであり、低周波交流電源ＡＳから位相制御調光器ＤＭを介して電球形蛍光ランプ装置の点灯回路６０に流入する入力電流が過電流になった際に、溶断して回路が焼損しないように保護する。
【０２６１】
なお、位相制御調光器ＤＭは、家屋（部屋）の壁ではなく、電球形蛍光ランプ装置の側に内蔵してもよい。
【０２６２】
この位相制御調光器ＤＭを経由して電球形蛍光ランプ装置を低周波交流電源ＡＳに接続した場合、位相制御調光器ＤＭのボリュームを最大に合わせたとしても、図１０に示すように、口金４から流入する入力電圧に休止期間、つまりオフ期間Ｔ１が生じる。休止期間とは、位相制御により電源電圧を０Ｖに制御している期間である。
【０２６３】
例えばある位相制御調光器ＤＭの出力端にテスト用の負荷（２５０Ω）を接続すると共に、入力端に商用交流電圧１００Ｖ（５０Ｈｚ）を印加した場合、ボリューム最大位置（ＭＡＸ）で、約１．３ｍｓｅｃのオフ期間Ｔ１が検出された。
【０２６４】
また、ボリュームを最小位置（ＭＩＮ）まで絞り込んだとき、つまり調光下限では、図１１に示すような波形となり、約７．３ｍｓｅｃのオフ期間Ｔ２が検出された。
【０２６５】
これらのオフ期間Ｔ１，Ｔ２は、第１実施形態（図３）で示した壁スイッチＳＷのオンオフ操作の時間（２〜３秒）に比較して極めて短く、第１実施形態（図３）の回路構成のまま平滑コンデンサＣ２からの平滑された電圧を電圧比較回路ＶＣに入力しても、電圧が平滑されているため、ｍｓｅｃオーダーのオフ期間を検出できず、利用者が位相制御調光器ＤＭを調光操作しても光源の切り替え、つまり発光ダイオード回路ＬＥＤを点灯させることはできない。
【０２６６】
そこで、この第６実施形態では、第１実施形態（図３）の点灯回路２のように平滑コンデンサＣ２からの平滑された電圧を電圧比較回路ＶＣへ供給するのではなく、ブリッジ形全波整流回路ＦＢＲ１の前段で、フューズＦＵ１を通過した位相制御電圧をそのまま電圧比較回路ＶＣへ入力する。
【０２６７】
この場合、電圧比較回路ＶＣの抵抗器Ｒ５およびコンデンサＣ９、コンデンサＣ１０および抵抗器Ｒ１０の両者の時定数の組み合わせで、オフ期間Ｔ１，Ｔ２の検出の速さが決まるため、位相制御調光器ＤＭのボリューム最大位置（ＭＡＸ）で蛍光ランプ本体１が点灯し、その位置からボリュームが絞られると、発光ダイオードＤ５３を点灯させるようにする必要がある。
このためには、１．３ｍｓｅｃのオフ期間Ｔ１についてはＡＣ電源オフ時間検出回路ＡＣＰＯＤＣが検出せず、それよりも長い期間、例えば１．５ｍｓｅｃ以上のオフ期間を検出したときに、調光制御回路ＤＣＣが、蛍光ランプ本体１を消灯させて、発光ダイオードＤ５３を点灯させるよう電圧比較回路ＶＣの上記時定数を設定することが良い。
【０２６８】
すなわち、電圧比較回路ＶＣおよびＡＣ電源オフ時間検出回路ＡＣＰＯＤＣは、位相制御調光器ＤＭから入力される位相制御電圧をブリッジ形全波整流回路ＦＢＲ１の前段から得ることで、位相制御電圧のｍｓｅｃオーダーのオフ期間を検出するオフ期間検出回路として機能する。
商用電源の周波数が、例えば５０Ｈｚであれば、その周期の半分の期間（半周期）に一回、位相制御調光器ＤＭの出力波形（位相制御電圧）にオフ期間が発生するため、電圧比較回路ＶＣおよびＡＣ電源オフ時間検出回路ＡＣＰＯＤＣを１．５ｍｓｅｃ〜１０ｍｓｅｃ程度までのオフ期間を検出できるよう時定数を調整するものとする。
【０２６９】
ＡＣ電源オフ検出回路ＡＣＰＯＤＣおよびＬＥＤ点灯回路ＬＬＣなどを含む調光制御回路ＤＣＣは、所定の期間（この例では１．５ｍｓｅｃ）以上のオフ期間が検出された場合に、ＡＣ電源オフ検出回路ＡＣＰＯＤＣからオン信号をインバータ発振停止回路ＩＯＳＣとＬＥＤ点灯回路ＬＬＣへ出力して蛍光ランプ本体１を消灯させ、かつ発光ダイオードＤ５３を点灯させる制御回路として機能する。
調光制御回路ＤＣＣは、位相制御調光器ＤＭより入力された位相制御電圧の位相の変化に応じて発光ダイオードＤ５３を調光制御する。
【０２７０】
なお、位相制御調光器ＤＭと電球形蛍光ランプ装置とを組み合わせた場合に、トライアックが不所望にオフし、電球形蛍光ランプ装置の点灯回路６０の入力電流が増加してインバータＩＮＶの寿命が短命化したり、誤動作を起こして明るさのちらつきが発生したりすることがある。
【０２７１】
しかし、この実施形態では、ボリューム最大位置（ＭＡＸ）以外では蛍光ランプ本体１は消灯され、発光ダイオードＤ５３を点灯して照明が調光されるので、蛍光ランプ本体１側の短命化やちらつきなどの不具合が生じ難くなる。
【０２７２】
ここで、図１２を参照してこの第６実施形態の点灯回路における点灯特性について説明する。
図１２に示す特性図は、蛍光ランプ本体１に対して５０％以下の明るさを持つ発光ダイオードＤ５３を用いた場合の例である。
特性図において、横軸は時間、左縦軸は点灯出力（％）、右縦軸は位相調光器ＤＭの半周期当たりのオフ期間（ｍｓｅｃ）を示す。特性図の実線は左縦軸に対応し、破線は右縦軸に対応している。
この場合、位相制御調光器ＤＭのボリュームの位置が「ｏｆｆ」の位置では、壁スイッチＳＷのオフ状態と同じであるため、位相制御電圧が点灯回路６０へ供給されず、蛍光ランプ本体１および発光ダイオードＤ５３は共に点灯せず、点灯出力は０％、ＡＣ電源（５０Ｈｚ）の半周期の全期間である１０ｍｓｅｃがオフ期間である。
【０２７３】
そして、利用者が位相制御調光器ＤＭのボリュームを、「ｏｆｆ」の位置から最小位置（ＭＩＮ）へ操作すると、位相制御電圧が供給される。このとき位相制御電圧のオフ期間は、７．３ｍｓｅｃであるため、ＡＣ電源オフ時間検出回路ＡＣＰＯＤＣによりオン信号が出力されて発光ダイオードＤ５３が点灯され、かつ蛍光ランプ本体１は消灯される。このとき位相制御量に応じた位相制御電圧の実効値は小さく（図１１参照）、発光ダイオードＤ５３は、点Ｔａの点灯状態で暗く点灯される。
【０２７４】
この位置から利用者が位相制御調光器ＤＭのボリュームを徐々にＭＡＸ方向へ操作すると、位相制御電圧の実効値が大きくなり、発光ダイオードＤ５３の点灯状態は、徐々に明るくなってゆく。
【０２７５】
そして、位相制御電圧のオフ期間が１．５ｍｓｅｃ程度（点Ｔｂ）になるまで、発光ダイオードＤ５３は、明るくなる方向に調光される。
【０２７６】
さらに、オフ期間が１．５ｍｓｅｃを下回り、例えば１．３ｍｓｅｃ程度までになると（図１０参照）、ＡＣ電源オフ時間検出回路ＡＣＰＯＤＣからのオン信号の出力が停止され、発光ダイオードＤ５３が消灯され、インバータＩＮＶが駆動を開始し、蛍光ランプ本体１が点灯され、１００％の全灯状態となる。
【０２７７】
この逆に、ＭＡＸの位置のボリュームを利用者が徐々にＭＩＮ方向へ操作すると、少しの操作で、オフ期間が１．５ｍｓｅｃを超えるため、ＡＣ電源オフ時間検出回路ＡＣＰＯＤＣからオン信号が出力され、インバータＩＮＶの駆動が停止されると共に、発光ダイオードＤ５３が点灯され、以降、「ｏｆｆ」の位置まで、発光ダイオードＤ５３による調光点灯状態となる。
【０２７８】
このようにこの第６実施形態の電球形蛍光ランプ装置によれば、位相制御調光器ＤＭが設けられた家屋（部屋）に電球形蛍光ランプ装置を用いる場合、位相制御調光器ＤＭから入力される位相制御電圧をブリッジ形全波整流回路ＦＢＲ１の前段から得て位相制御電圧のｍｓｅｃオーダーのオフ期間を検出することで、蛍光ランプ本体１と発光ダイオードＤ５３との点灯を確実に切り替えることができる。
また、全灯時以外に発光ダイオードＤ５３を点灯させて、位相制御調光器ＤＭにて調光を行えるようにしたので、誤動作や照明がちらつくことなく調光することができる。
【０２７９】
すなわち、入力電圧の位相制御により、主光源から補助光源へと切り替わり、全灯から補助光源の明るさ程度へと変化する調光を実現することができる。
【０２８０】
なお、通常、蛍光ランプ本体１に比べて発光ダイオードＤ５３の明るさの方が暗いため、図１２の特性では、蛍光ランプ本体１と発光ダイオードＤ５３との光源切り替え時の点灯状態に明るさに差異（段差）が生じる。このように明るさの差異が大きな２つの光源を使用することで、調光の下限をより深くすることができる。
【０２８１】
これに対して、高輝度の発光ダイオードＤ５３を利用して蛍光ランプ本体１との明るさの差異をなくすことで、光源切り替え時にも滑らかな調光を行えるようになる。
このように使用する２つの光源（主光源および補助光源）の明るさの差異をつけたり、互いの明るさを合わることで、照明する空間や利用者の志向に合わせた調光を行うことができる。
【図面の簡単な説明】
【０２８２】
【図１】本発明の一つの実施形態の電球形蛍光ランプ装置の構成を示す一部断面正面図である。
【図２】グローブを透視した平面図である。
【図３】電球形蛍光ランプ装置の点灯回路の第１実施形態を示す図である。
【図４】電球形蛍光ランプ装置の点灯回路の第２実施形態を示す図である。
【図５】電球形蛍光ランプ装置の点灯回路の第３実施形態を示す図である。
【図６】電球形蛍光ランプ装置の点灯回路の第４実施形態を示す図である。
【図７】電球形蛍光ランプ装置の点灯回路の第５実施形態を示す図である。
【図８】電球形蛍光ランプ装置の点灯回路の第６実施形態を示す図である。
【図９】位相制御調光器の回路構成の一例を示す図である。
【図１０】ボリューム最大位置（ＭＡＸ）における位相制御電圧の波形を示す図である。
【図１１】ボリューム最小位置（ＭＩＮ）における位相制御電圧の波形を示す図である。
【図１２】位相制御調光器のボリューム可変範囲に対し点灯状態の変化を示す点灯特性図である。
【符号の説明】
【０２８３】
１…蛍光ランプ本体、２…点灯回路、２０…点灯回路、３０…点灯回路、４０…点灯回路、Ｒ５０…抵抗器、ＩＮａ，ＩＮｂ…入力端、ＡＣＰＯＤＣ…電源オフ時間検出回路、ＡＣＰＯＤＣ…電源オフ検出回路、ＡＳ…低周波交流電源、Ｃ１、Ｃ９，Ｃ１０，Ｃ１１，Ｃ５２…コンデンサ、Ｃ２…平滑コンデンサ、Ｃ４…直流カットコンデンサ、Ｃ５…共振コンデンサ、Ｃ７…ドライブ共振コンデンサ、Ｃ８…結合コンデンサ、ＣＰＣ…チャージポンプ回路、Ｄ１，Ｄ２，Ｄ５０，Ｄ５２…ダイオード、Ｄ５３…発光ダイオード、ＦＢＲ１，ＦＢＲ２…ブリッジ形全波整流回路、ＦＵ１，ＦＵ２，ＦＵ３，ＦＵ４…フューズ、ＩＮＶ…インバータ、ＩＯＳＣ…インバータ発振停止回路、ＬＥＤ…発光ダイオード回路、ＬＬＣ…ＬＥＤ点灯回路、ＰＵＴ１…プログラマブル・ユニジャンクション・トランジスタ、Ｑ１，Ｑ２，Ｑ３，Ｑ５０…スイッチング素子、Ｒ１，Ｒ１０，Ｒ２，Ｒ３，Ｒ４，Ｒ５，Ｒ６，Ｒ７，Ｒ８，Ｒ９，Ｒ５０，Ｒ５２，Ｒ５３…抵抗器、ＲＳ…整流平滑回路、ＳＷ…壁スイッチ。
【図１】
2007227342.tif 000003
【図２】
2007227342.tif 000004
【図３】
2007227342.tif 000005
【図４】
2007227342.tif 000006
【図５】
2007227342.tif 000007
【図６】
2007227342.tif 000008
【図７】
2007227342.tif 000009
【図８】
2007227342.tif 000010
【図９】
2007227342.tif 000011
【図１０】
2007227342.tif 000012
【図１１】
2007227342.tif 000013
【図１２】
2007227342.tif 000014